(57)【要約】      （修正有）【課題】オーディオデバイス用のオーディオパラメータを設定して多重ステップ音嗜好性判定を効果的に提供する技術を提供する。【解決手段】１つ以上のオーディオパラメータを設定する方法は、複数のセッティングオプションをユーザに示して選択させることを繰り返し、オーディオパラメータをセットする７０４。現在のオーディオパラメータ値に対し、変更しない第１のオプション、第１所定量変更する第２のオプション、第２の所定量変更する第３の３つのオプションをユーザに示し７０６、それを選択させる７０８。ユーザの選択したオプションに応じてオーディオパラメータを更新する７１０、７１２、７１４。選択の繰り返しがさらに存続する場合７１６ＮＯ、ステップ７０６に戻って処理を継続する。【選択図】図７
2020109669.tif 000002
【特許請求の範囲】
【請求項１】
コンピュータ実装の方法であって、
オーディオパラメータに対応付けられる第１の複数のセッティングオプションを示すことであって、前記第１の複数のセッティングオプションは、前記オーディオパラメータの第１のセッティングと同じ値を有する第１のオプションと、前記第１のセッティングとは異なる第１の値を有する第２のオプションとを含む、前記示すことと、
前記第１のオプション及び前記第２のオプションの一方の選択を受け取ることと、
前記選択に基づいて、前記オーディオパラメータに対応付けられる第２の複数のセッティングオプションを示すことであって、前記第２の複数のセッティングオプションは、前記オーディオパラメータの第２のセッティングと同じ値を有する第３のオプションと、前記第２のセッティングとは異なる第２の値を有する第４のオプションとを含む、前記示すことと、
前記第２の複数のセッティングオプションのうちの少なくとも１つの選択に基づいて前記オーディオパラメータをセッティングすることと、を含む前記方法。
【請求項２】
前記オーディオパラメータに基づいてオーディオコンテンツ項目を再生することをさらに含む請求項１に記載の方法。
【請求項３】
前記第１の複数のセッティングオプションはさらに、前記第１のセッティングとは異なる第３の値を有する第５のオプションを含み、前記選択を受け取ることは、前記第１のオプション、前記第２のオプション、及び前記第５のオプションのうちの１つの選択を受け取ることを含む請求項１に記載の方法。
【請求項４】
前記第２の複数のセッティングオプションはさらに、前記第２のセッティングとは異なる第４の値を有する第６のオプションを含む請求項１に記載の方法。
【請求項５】
前記第１の値は前記第１のセッティングから第１の大きさだけ変化することに対応し、前記第２の値は前記第２のセッティングから第２の大きさだけ変化することに対応する請求項１に記載の方法。
【請求項６】
前記第２の大きさは前記第１の大きさよりも小さい請求項５に記載の方法。
【請求項７】
前記第２の大きさは前記第１の大きさと同じである請求項５に記載の方法。
【請求項８】
前記第１の値は前記第１の大きさだけ加算することに対応し、前記第２の値は前記第２の大きさだけ減算することに対応する請求項５に記載の方法。
【請求項９】
前記第１の値は前記第１の大きさだけ加算することに対応し、前記第２の値は前記第２の大きさだけ加算することに対応する請求項５に記載の方法。
【請求項１０】
前記第１の値は前記第１の大きさだけ減算することに対応し、前記第２の値は前記第２の大きさだけ減算することに対応する請求項５に記載の方法。
【請求項１１】
命令を記憶する１つ以上の非一時的なコンピュータ可読媒体であって、前記命令は、１つ以上のプロセッサによって実行されると、前記１つ以上のプロセッサに、
オーディオパラメータに対応付けられる第１の複数のセッティングオプションを示すステップであって、前記第１の複数のセッティングオプションは、前記オーディオパラメータの第１のセッティングに対応付けられる第１のオプションと、前記オーディオパラメータの第２のセッティングに対応付けられる第２のオプションとを含む、前記ステップと、
前記第１のオプション及び前記第２のオプションの一方の選択を受け取るステップと、
前記選択に基づいて、前記オーディオパラメータに対応付けられる第２の複数のセッティングオプションを示すステップであって、前記第２の複数のセッティングオプションは、前記オーディオパラメータの第３のセッティングに対応付けられる第３のオプションと、前記オーディオパラメータの第４のセッティングに対応付けられる第４のオプションとを含む、前記ステップと、
前記第２の複数のセッティングオプションのうちの少なくとも１つの選択に基づいて前記オーディオパラメータをセッティングするステップと、を実行させる前記１つ以上の非一時的なコンピュータ可読媒体。
【請求項１２】
前記第１の複数のセッティングオプションはさらに、前記オーディオパラメータの第５のセッティングに対応付けられる第５のオプションを含み、前記選択を受け取ることは、前記第１のオプション、前記第２のオプション、及び前記第５のオプションのうちの１つの選択を受け取ることを含む請求項１１に記載の１つ以上のコンピュータ可読媒体。
【請求項１３】
システムであって、
命令を記憶するメモリと、
前記メモリに結合されたプロセッサと、を含み、前記プロセッサは、前記命令が実行されると、
オーディオパラメータに対応付けられる第１の複数のセッティングオプションを示すことであって、前記第１の複数のセッティングオプションは、前記オーディオパラメータの第１のセッティングと同じ値を有する第１のオプションと、前記第１のセッティングとは異なる第１の値を有する第２のオプションとを含む、前記示すことと、
前記第１のオプション及び前記第２のオプションの一方の選択を受け取ることと、
前記選択に基づいて、前記オーディオパラメータに対応付けられる第２の複数のセッティングオプションを示すことであって、前記第２の複数のセッティングオプションは、前記オーディオパラメータの第２のセッティングと同じ値を有する第３のオプションと、前記第２のセッティングとは異なる第２の値を有する第４のオプションとを含む、前記示すことと、
前記第２の複数のセッティングオプションのうちの少なくとも１つの選択に基づいて前記オーディオパラメータをセッティングすることと、を行うように構成されている前記システム。
【発明の詳細な説明】
【技術分野】
【０００１】
関連出願の相互参照
本出願は、２０１９年１月３日に出願された第６２／７８８，１０４号の米国仮出願、発明の名称「ＭＵＬＴＩＳＴＥＰ  ＳＯＵＮＤ  ＰＲＥＦＥＲＥＮＣＥ  ＤＥＴＥＲＭＩＮＡＴＩＯＮ」の利益を主張する。本出願の主題は、本明細書によってその全体において参照により本明細書に組み込まれている。
【０００２】
開示された実施形態は全般的に、オーディオ処理に関し、詳細には、多重ステップ音嗜好性判定に関する。
【背景技術】
【０００３】
オーディオ出力デバイスなどのオーディオデバイスの技術は、日々進歩しており、ユーザがオーディオコンテンツを楽しむ多くのデバイスオプションが提供されている。その結果、ユーザは、オーディオコンテンツを再生するために多くのデバイスから選ぶことができる。たとえば、ホームオーディオシステム、車載オーディオシステム、ポータブルメディアデバイス、スマートフォン、コンピュータ、スピーカシステム、ならびにインイヤー及びオーバーイヤーの両種類のヘッドホンなどである。
【０００４】
オーディオ出力デバイスを介してオーディオコンテンツが簡単に楽しめるように、オーディオ出力デバイスには、オーディオコンテンツの出力に影響する調整可能なパラメータが含まれている場合がある。たとえば、オーディオ出力デバイスには、低音域及び高音域などの調整可能な等化パラメータが含まれている場合がある。通常、オーディオ出力デバイス用のこれらのパラメータを調整するための制御には、ユーザが手動で操作することができる単純なダイアル及び／またはスライダーが伴う。このアプローチの欠点は、手動調整アプローチには極めて多い数の可能な調整が含まれていることである。その結果、手動調整アプローチは大部分が試行錯誤であり、時間がかかりまた単調となる可能性がある。このアプローチのさらなる欠点は、このような手動調整には多くの場合に、パラメータ及びオーディオ出力に対するパラメータの効果について専門家レベルの知識が必要であるということである。この知識レベルは未熟練ユーザにとっては圧倒的となる可能性がある。知識レベルの要求及び極めて多い数の可能な調整を受けて、未熟練ユーザはオーディオパラメータのわずかな調整もやめる場合があり、オーディオコンテンツを楽しむことが減る場合がある。
【０００５】
前述のように、オーディオデバイス用のオーディオパラメータを設定して個別化するためのより効果的な技術が求められている。
【発明の概要】
【課題を解決するための手段】
【０００６】
一実施形態では、１つ以上のオーディオパラメータを設定するための方法について述べる。本方法には、オーディオパラメータに対応付けられる第１の複数のセッティングオプションを示すことであって、第１の複数のセッティングオプションは、オーディオパラメータの第１のセッティングと同じ値を有する第１のオプションと、第１のセッティングとは異なる第１の値を有する第２のオプションとを含む、示すことと、第１のオプション及び第２のオプションの一方の選択を受け取ることと、選択に基づいて、オーディオパラメータに対応付けられる第２の複数のセッティングオプションを示すことであって、第２の複数のセッティングオプションは、オーディオパラメータの第２のセッティングと同じ値を有する第３のオプションと、第２のセッティングとは異なる第２の値を有する第４のオプションとを含む、示すことと、第２の複数のセッティングオプションのうちの少なくとも１つの選択に基づいてオーディオパラメータをセッティングすることと、が含まれる。
【０００７】
さらなる実施形態では、とりわけ、前述した方法を実施するように構成されたシステム及び１つ以上の非一時的なコンピュータ可読媒体が提供される。
【０００８】
開示した技術の利点及び技術改良は、個別化されたオーディオパラメータを系統的かつ目標とする方法で導き出して設定し得ることである。したがって、オーディオパラメータをより効率的で効果的な方法でセッティングし得る。別の利点及び技術改良は、オーディオパラメータに対するベースラインを、個別化されたオーディオパラメータに基づいて精緻なものにし得ることである。精緻にしたベースラインを、異なるユーザに対応付けられるオーディオデバイスに分配及び適用してもよい。
【０００９】
種々の実施形態の前述した特徴を詳細に理解できるように、前述で簡単にまとめた本発明のコンセプトのより詳しい説明を、種々の実施形態に言及することにより行う場合がある。種々の実施形態の一部は添付図面に例示されている。しかし、添付図面に例示するのは本発明のコンセプトの典型的な実施形態のみであり、したがって多少なりとも範囲を限定するものとは考えてはならず、同様に効果的な他の実施形態が存在することに注意されたい。
本発明は、例えば、以下を提供する。
（項目１）
コンピュータ実装の方法であって、
オーディオパラメータに対応付けられる第１の複数のセッティングオプションを示すことであって、前記第１の複数のセッティングオプションは、前記オーディオパラメータの第１のセッティングと同じ値を有する第１のオプションと、前記第１のセッティングとは異なる第１の値を有する第２のオプションとを含む、前記示すことと、
前記第１のオプション及び前記第２のオプションの一方の選択を受け取ることと、
前記選択に基づいて、前記オーディオパラメータに対応付けられる第２の複数のセッティングオプションを示すことであって、前記第２の複数のセッティングオプションは、前記オーディオパラメータの第２のセッティングと同じ値を有する第３のオプションと、前記第２のセッティングとは異なる第２の値を有する第４のオプションとを含む、前記示すことと、
前記第２の複数のセッティングオプションのうちの少なくとも１つの選択に基づいて前記オーディオパラメータをセッティングすることと、を含む前記方法。
（項目２）
前記オーディオパラメータに基づいてオーディオコンテンツ項目を再生することをさらに含む上記項目に記載の方法。
（項目３）
前記第１の複数のセッティングオプションはさらに、前記第１のセッティングとは異なる第３の値を有する第５のオプションを含み、前記選択を受け取ることは、前記第１のオプション、前記第２のオプション、及び前記第５のオプションのうちの１つの選択を受け取ることを含む上記項目のいずれかに記載の方法。
（項目４）
前記第２の複数のセッティングオプションはさらに、前記第２のセッティングとは異なる第４の値を有する第６のオプションを含む上記項目のいずれかに記載の方法。
（項目５）
前記第１の値は前記第１のセッティングから第１の大きさだけ変化することに対応し、前記第２の値は前記第２のセッティングから第２の大きさだけ変化することに対応する上記項目のいずれかに記載の方法。
（項目６）
前記第２の大きさは前記第１の大きさよりも小さい上記項目のいずれかに記載の方法。
（項目７）
前記第２の大きさは前記第１の大きさと同じである上記項目のいずれかに記載の方法。
（項目８）
前記第１の値は前記第１の大きさだけ加算することに対応し、前記第２の値は前記第２の大きさだけ減算することに対応する上記項目のいずれかに記載の方法。
（項目９）
前記第１の値は前記第１の大きさだけ加算することに対応し、前記第２の値は前記第２の大きさだけ加算することに対応する上記項目のいずれかに記載の方法。
（項目１０）
前記第１の値は前記第１の大きさだけ減算することに対応し、前記第２の値は前記第２の大きさだけ減算することに対応する上記項目のいずれかに記載の方法。
（項目１１）
命令を記憶する１つ以上の非一時的なコンピュータ可読媒体であって、前記命令は、１つ以上のプロセッサによって実行されると、前記１つ以上のプロセッサに、
オーディオパラメータに対応付けられる第１の複数のセッティングオプションを示すステップであって、前記第１の複数のセッティングオプションは、前記オーディオパラメータの第１のセッティングに対応付けられる第１のオプションと、前記オーディオパラメータの第２のセッティングに対応付けられる第２のオプションとを含む、前記ステップと、
前記第１のオプション及び前記第２のオプションの一方の選択を受け取るステップと、
前記選択に基づいて、前記オーディオパラメータに対応付けられる第２の複数のセッティングオプションを示すステップであって、前記第２の複数のセッティングオプションは、前記オーディオパラメータの第３のセッティングに対応付けられる第３のオプションと、前記オーディオパラメータの第４のセッティングに対応付けられる第４のオプションとを含む、前記ステップと、
前記第２の複数のセッティングオプションのうちの少なくとも１つの選択に基づいて前記オーディオパラメータをセッティングするステップと、を実行させる前記１つ以上の非一時的なコンピュータ可読媒体。
（項目１２）
前記第１の複数のセッティングオプションはさらに、前記オーディオパラメータの第５のセッティングに対応付けられる第５のオプションを含み、前記選択を受け取ることは、前記第１のオプション、前記第２のオプション、及び前記第５のオプションのうちの１つの選択を受け取ることを含む上記項目のいずれかに記載の１つ以上のコンピュータ可読媒体。
（項目１３）
前記第２の複数のセッティングオプションはさらに、前記オーディオパラメータの第６のセッティングに対応付けられる第６のオプションを含む上記項目のいずれかに記載の１つ以上のコンピュータ可読媒体。
（項目１４）
前記第１のセッティングは第１の値を含み、前記第２のセッティングは第２の値を含み、前記第２の値は前記第１の値からある大きさだけ変化することに対応する上記項目のいずれかに記載の１つ以上のコンピュータ可読媒体。
（項目１５）
前記第２の値は前記第１の値から前記大きさだけ減少することに対応する上記項目のいずれかに記載の１つ以上のコンピュータ可読媒体。
（項目１６）
前記第２の値は前記第１の値から前記大きさだけ増加することに対応する上記項目のいずれかに記載の１つ以上のコンピュータ可読媒体。
（項目１７）
システムであって、
命令を記憶するメモリと、
前記メモリに結合されたプロセッサと、を含み、前記プロセッサは、前記命令が実行されると、
オーディオパラメータに対応付けられる第１の複数のセッティングオプションを示すことであって、前記第１の複数のセッティングオプションは、前記オーディオパラメータの第１のセッティングと同じ値を有する第１のオプションと、前記第１のセッティングとは異なる第１の値を有する第２のオプションとを含む、前記示すことと、
前記第１のオプション及び前記第２のオプションの一方の選択を受け取ることと、
前記選択に基づいて、前記オーディオパラメータに対応付けられる第２の複数のセッティングオプションを示すことであって、前記第２の複数のセッティングオプションは、前記オーディオパラメータの第２のセッティングと同じ値を有する第３のオプションと、前記第２のセッティングとは異なる第２の値を有する第４のオプションとを含む、前記示すことと、
前記第２の複数のセッティングオプションのうちの少なくとも１つの選択に基づいて前記オーディオパラメータをセッティングすることと、を行うように構成されている前記システム。
（項目１８）
前記第１の値は前記第１のセッティングから第１の大きさだけ変化することに対応し、前記第２の値は前記第２のセッティングから第２の大きさだけ変化することに対応する上記項目のいずれかに記載のシステム。
（項目１９）
前記第２の大きさは前記第１の大きさよりも小さい上記項目のいずれかに記載のシステム。
（項目２０）
前記第２の大きさは前記第１の大きさと同じである上記項目のいずれかに記載のシステム。
（摘要）
実施形態では、１つ以上のオーディオパラメータを設定するための技術について述べている。本技術には、オーディオパラメータに対応付けられる第１の複数のセッティングオプションを示すことであって、第１の複数のセッティングオプションは、オーディオパラメータの第１のセッティングと同じ値を有する第１のオプションと、第１のセッティングとは異なる第１の値を有する第２のオプションとを含む、示すことと、第１のオプション及び第２のオプションの一方の選択を受け取ることと、選択に基づいて、オーディオパラメータに対応付けられる第２の複数のセッティングオプションを示すことであって、第２の複数のセッティングオプションは、オーディオパラメータの第２のセッティングと同じ値を有する第３のオプションと、第２のセッティングとは異なる第２の値を有する第４のオプションとを含む、示すことと、第２の複数のセッティングオプションのうちの少なくとも１つの選択に基づいてオーディオパラメータをセッティングすることと、が含まれる。
【図面の簡単な説明】
【００１０】
【図１】種々の実施形態の１つ以上の態様を実施するように構成されたコンピューティングデバイスを例示する図である。
【図２】種々の実施形態の１つ以上の態様により、１つ以上のオーディオパラメータを設定するためのプロセスにおける選択オプションの判定フローを例示する図である。
【図３Ａ】種々の実施形態の１つ以上の態様により、１つ以上のオーディオパラメータを設定するための別のプロセスにおける選択オプションの判定フローを例示する図である。
【図３Ｂ】種々の実施形態の１つ以上の態様により、１つ以上のオーディオパラメータを設定するための別のプロセスにおける選択オプションの判定フローを例示する図である。
【図４】種々の実施形態の１つ以上の態様により、１つ以上のオーディオパラメータを設定するためのラウンドロビンベースのプロセスにおけるオプションの行列を例示する図である。
【図５】種々の実施形態の１つ以上の態様により、１つ以上のオーディオパラメータを設定するためのオプションを示すためのユーザインターフェース例を例示する図である。
【図６】種々の実施形態の１つ以上の態様により、１つ以上のオーディオパラメータを設定するためのオプションを示すためのユーザインターフェースのさらなる例を例示する図である。
【図７】種々の実施形態の１つ以上の態様により、１つ以上のオーディオパラメータを設定するための方法ステップのフローチャートを例示する図である。
【図８】種々の実施形態の１つ以上の態様により、１つ以上のオーディオパラメータを設定するための方法ステップの別のフローチャートを例示する図である。
【図９】種々の実施形態の１つ以上の態様により、１つ以上のオーディオパラメータを設定するための方法ステップのさらなるフローチャートを例示する図である。
【発明を実施するための形態】
【００１１】
以下の説明では、種々の実施形態のより十分な理解が得られるように多くの具体的な詳細について述べる。しかし、当業者には明らかなように、本発明のコンセプトをこれらの具体的な詳細の１つ以上を用いずに実施してもよい。
【００１２】
図１に、種々の実施形態の１つ以上の態様を実施するように構成されたコンピューティングデバイス１０２を例示する。コンピューティングデバイス１０２は、メモリ１１６内にあるオーディオデバイス設定アプリケーション１５０を実行するように構成されている。なお、本明細書で説明するコンピューティングデバイス１０２は例示的であり、技術的に実現可能な他の任意の構成が種々の実施形態の範囲に入ることに注意されたい。
【００１３】
図示するように、コンピューティングデバイス１０２には、限定することなく、以下が含まれている。１つ以上のプロセッサ（複数可）１０４と、オーディオ出力デバイス１３６及び１つ以上の他の入出力（Ｉ／Ｏ）デバイス１１０に結合された入出力（Ｉ／Ｏ）デバイスインターフェース１０８と、メモリ１１６と、記憶装置１１４と、ネットワークインターフェース１０６と、を接続する相互接続（バス）１１２。プロセッサ（複数可）１０４は、任意の好適なプロセッサであってもよく、たとえば、中央演算処理装置（ＣＰＵ）、グラフィックスプロセッシングユニット（ＧＰＵ）、特定用途向け集積回路（ＡＳＩＣ）、フィールドプログラマブルゲートアレイ（ＦＰＧＡ）、任意の他のタイプのプロセッシングユニット、またはプロセッシングユニットの組み合わせ、たとえばＧＰＵと共に動作するように構成されたＣＰＵであってもよい。全般的に、プロセッサ（複数可）１０４は、データを処理し及び／またはソフトウェアアプリケーション（オーディオデバイス設定アプリケーション１５０を含む）を実行することができる任意の技術的に可能なハードウェアユニットであってもよい。
【００１４】
オーディオ出力デバイス１３６に、音波として供給源から受け取ったオーディオ信号を環境中に出力することができる任意のデバイスが含まれていてもよい。オーディオ出力デバイス１３６を、任意の数の形態で実施してもよい。たとえば、限定することなく、別個のスピーカデバイス、オンデバイススピーカ（たとえば、別のデバイスと一体化されたスピーカ）、ヘッドホン及びヘッドセット（インイヤーまたはオーバーイヤー）、サウンドバー、及びスマートスピーカである。いくつかの実施形態では、スピーカ１３６には指向性スピーカ及び／またはスピーカアレイが含まれていてもよい。オーディオ出力デバイス１３６をＩ／Ｏデバイスインターフェース１０８に、有線（たとえば、高精細度マルチメディアインターフェース（ＨＤＭＩ（登録商標））、ユニバーサルシリアルバス（ＵＳＢ）、ヘッドホンケーブル）接続及び／または無線（たとえば、ブルートゥース（登録商標）、Ｗｉ−Ｆｉ）接続を介して結合してもよい。
【００１５】
他のＩ／Ｏデバイス１１０をＩ／Ｏデバイスインターフェース１０８に結合してもよく、他のＩ／Ｏデバイス１１０には、入力及び／または出力を与えることができるデバイスが含まれていてもよい。種々の実施形態では、他のＩ／Ｏデバイス１１０には、ディスプレイ１３２及び１つ以上の入力デバイス１３４が含まれる。Ｉ／Ｏデバイス１１０をＩ／Ｏデバイスインターフェース１０８に、有線（たとえば、ＨＤＭＩ（登録商標）、ＵＳＢ）接続及び／または無線（たとえば、ブルートゥース（登録商標）、Ｗｉ−Ｆｉ）接続を介して結合してもよい。
【００１６】
ディスプレイデバイス１３２は、コンピューティングデバイス１０２のユーザにビジュアルコンテンツ（たとえば、画像、ビデオなど）を表示してもよい。種々の実施形態では、ディスプレイデバイス１３２は、供給源から（たとえば、コンピューティングデバイス１０２から）受け取ったビジュアルコンテンツを出力ように構成されたディスプレイデバイス（たとえば、液晶ディスプレイ（ＬＣＤ）スクリーン、発光ダイオード（ＬＥＤ）ディスプレイスクリーン、有機発光ダイオード（ＯＬＥＤ）ディスプレイスクリーン、２次元または３次元投影システムなど）である。ディスプレイデバイス１３２は、コンピューティングデバイス１０２と一体化されたディスプレイまたはコンピューティングデバイス１０２に結合された別個のディスプレイデバイスであってもよい。
【００１７】
入力デバイス１３４には、コンピューティングデバイス１０２に入力を与えることができるデバイスが含まれる。いくつかの実施形態では、入力デバイス１３４には、キーボード、マウス、タッチセンサー式スクリーン、タッチセンサー式パッド、ボタン、ノブ、ダイアル、ジョイスティックなどのうちの１つ以上が含まれる。いくつかの実施形態では、入力デバイス１３４には、環境内で発生する音波を取り込んで、取り込んだ音波からオーディオ信号を発生させることができるマイクロフォンが含まれていてもよい。マイクロフォンには、全指向性マイクロフォン、マイクロフォンアレイ、または他のトランスデューサもしくはセンサであって、音波を電気的オーディオ信号に変換することができるものが含まれていてもよい。
【００１８】
記憶装置１１４には、アプリケーション及びデータ用の不揮発性記憶装置が含まれていてもよく、また固定またはリムーバブルディスクドライブ、フラッシュメモリデバイス、及びＣＤ−ＲＯＭ、ＤＶＤ−ＲＯＭ、ブルーレイ、ＨＤ−ＤＶＤ、または他の磁気的、光学的、もしくはソリッドステート記憶装置が含まれていてもよい。オーディオデバイス設定アプリケーション１５０が、記憶装置１１４内に存在してもよく、また実行されるときにメモリ１１６にロードされてもよい。さらに、種々の実施形態では、オーディオパラメータベースライン１５２、個別化されたオーディオパラメータ１５４、及びデモンストレーションオーディオコンテンツ１５６が記憶装置１１４に記憶されていてもよい。
【００１９】
オーディオパラメータベースライン１５２には、ベースラインに関する情報及び／または１つ以上のオーディオパラメータに対するデフォルト値が記憶されている。オーディオパラメータには、限定することなく、低音域レベル、高音域レベル、異なる周波数帯域に対する周波数応答レベル、及び他のオーディオ等化パラメータが含まれていてもよい。オーディオパラメータ値は、相対値（たとえば、初期またはベースライン値に対するプラスまたはマイナス値）及び／または絶対値（たとえば、低音域範囲または高音域範囲の音色に対する振幅値またはレベル）であってもよい。いくつかの実施形態では、オーディオパラメータベースライン１５２には、オーディオパラメータのモデルが含まれている。モデルは、人口統計的特性（たとえば、オーディオリスニング体験の年齢、性別、年数）とオーディオパラメータに対する値との関係を表す。ユーザに付随する人口統計情報を考慮して、１つ以上のオーディオパラメータに対してモデルからベースライン値を導き出してもよい。いくつかの実施形態では、オーディオパラメータベースライン１５２には、１つ以上のオーディオパラメータに対する所定のデフォルト値（絶対値または相対値）が含まれていてもよい。いくつかの実施形態では、モデル及び／またはデフォルト値を（たとえば、オーディオ出力デバイス１３６の製造業者または実装者が、オーディオデバイス設定アプリケーション１５０の開発者または実装者が）、実証的研究及びテストに基づいて予め決めてもよい。オーディオパラメータベースライン１５２を、コンピューティングデバイス１０２が取得してもよいし及び／またはコンピューティングデバイス１０２に与えてもよい。たとえば、オーディオデバイス設定アプリケーション１５０をコンピューティングデバイス１０２内にインストールするとともに、オーディオパラメータベースライン１５２を記憶装置１１４に記憶してもよい。それに加えてまたはその代わりに、オーディオパラメータベースライン１５２をクラウドシステム１６０から（たとえば、クラウドシステム１６０に記憶されたオーディオパラメータベースライン１６２のコピーとして）取得してもよい。
【００２０】
個別化されたオーディオパラメータ１５４には、ユーザに対して個別化された１つ以上のオーディオパラメータに対する値が記憶される。個別化されたオーディオパラメータ１５４を、オーディオパラメータ設定プロセスを用いてセッティングしてもよい。さらなる詳細については後述する。個別化されたオーディオパラメータ１５４を、ユーザのプロファイルに対応付けてもよく、またＩ／Ｏデバイスインターフェース１０８及び／またはネットワーク１２２及びクラウドシステム１６０を介してユーザに対応付けられるオーディオ出力デバイス１３６のうちの１つ以上に分配してもよい。個別化されたオーディオパラメータ１５４は、１つのオーディオ出力デバイス１３６に対する第１の組であってもよく、次にユーザに対応付けてもよい。さらに、いくつかの実施形態では、個別化されたオーディオパラメータ１５４をクラウドシステム１６０に送信して、ユーザに対応付けられる個別化されたオーディオパラメータ１６４として記憶してもよい。
【００２１】
デモンストレーションオーディオコンテンツ１５６には、予め選ぶかまたは予め決めた１つ以上のメディアコンテンツ項目（たとえば、オーディオコンテンツ項目）が含まれている。デモンストレーションオーディオコンテンツ１５６を、オーディオデバイス設定アプリケーション１５０のインストールと共に記憶装置１１４に記憶してもよいし、及び／またはクラウドシステム１６０から取得してもよい。いくつかの実施形態では、デモンストレーションオーディオコンテンツ１５６には、１つ以上のメディアコンテンツ項目が含まれ、それぞれ、広範囲の低音域、高音域、及び／または他のオーディオパラメータを示す特性と、オーディオ出力デバイス１３６を介して出力するときに低音域、高音域、及び／または他のオーディオパラメータの認識できる実質的な変化を示す特性と、のうちの少なくとも１つを示す。これらの特性のうちの１つ以上を有するように、デモンストレーションオーディオコンテンツ１５６を（たとえば、オーディオデバイス設定アプリケーション１５０の開発者、実装者、または配給業者が）予め選ぶかまたは予め決める。デモンストレーションオーディオコンテンツ１５６を、技術的に可能な任意のフォーマット（たとえば、ｗａｖファイル、ｍｐ３ファイル、無損失オーディオなど）で記憶してもよい。デモンストレーションオーディオコンテンツ１５６を、オーディオデバイス設定アプリケーション１５０を用いて再生してもよく、またオーディオ出力デバイス１３６を介して出力して、１つ以上のオーディオパラメータに対する現在値とこれらのパラメータに対する変化との効果を、オーディオ出力を介してデモンストレーションしてもよい。
【００２２】
メモリ１１６には、ランダムアクセスメモリ（ＲＡＭ）モジュール、フラッシュメモリユニット、または任意の他のタイプのメモリユニットもしくはそれらの組み合わせが含まれていてもよい。プロセッシングユニット（複数可）１０４、Ｉ／Ｏデバイスインターフェース１０８、及びネットワークインターフェース１０６は、メモリ１１６からデータを読み出してメモリ１１６にデータを書き込むように構成されている。メモリ１１６には、プロセッサ（複数可）１０４によって実行可能な種々のソフトウェアプログラム（たとえば、オペレーティングシステム、１つ以上のアプリケーション）と、前記ソフトウェアプログラム（オーディオデバイス設定アプリケーション１５０を含む）に対応付けられるアプリケーションデータとが含まれている。
【００２３】
オーディオデバイス設定アプリケーション１５０は、１つ以上のオーディオパラメータを設定するためのプロセスフロー及び付随するユーザインターフェース（複数可）を実施するように構成されている。オーディオデバイス設定アプリケーション１５０は、オーディオ出力デバイス１３６に対する１つ以上のオーディオパラメータ（たとえば、低音域、高音域）を、オーディオパラメータベースライン１５２と、オーディオパラメータをオーディオパラメータベースライン１５２から変更するためのオプションの選択とに基づいて構成する。プロセスフロー及び対応するユーザインターフェース（複数可）をオーディオデバイス設定アプリケーション１５０が実施すると、繰り返しの１つ以上のラウンド及び／またはラウンドロビン選択の１つ以上のラウンドを伴って、変更オプションが繰り返して示される。オーディオデバイス設定アプリケーション１５０はさらに、オーディオパラメータベースライン１５２及び／または異なる変更オプションに基づいて、デモンストレーションオーディオコンテンツ１５６に含まれるメディアコンテンツ項目を再生するように構成されており、その結果、ユーザはオーディオパラメータベースライン１５２及び異なる変更オプションのデモンストレーションを聞くことができる。オーディオデバイス設定アプリケーション１５０によって実施されるプロセスフローについて、以下でさらに説明する。オーディオデバイス設定アプリケーション１５０は、ディスプレイ１３２及び／またはオーディオ出力デバイス１３６を介してユーザインターフェースを示して、オーディオ出力デバイス１３６を介してデモンストレーションオーディオコンテンツ１５６を再生してもよい。
【００２４】
ネットワーク（複数可）１２２は、技術的に可能な任意のタイプの通信ネットワークであって、データをコンピューティングデバイス１０２と他のシステム（たとえば、ウェブサーバ、データベースサーバ、別のネットワーク接続されたコンピューティングデバイスまたはシステム）（クラウドシステム１６０を含む）との間で交換することを可能にする通信ネットワークであってもよい。いくつかの実施形態では、ネットワーク１２２には、ローカルエリアネットワーク（ＬＡＮ）、キャンパスエリアネットワーク（ＣＡＮ）、ワイドエリアネットワーク（ＷＡＮ）、及びインターネットのうちの１つ以上が含まれる。コンピューティングデバイス１０２を、ネットワークインターフェース１０６を介してネットワーク１２２に接続してもよい。いくつかの実施形態では、ネットワークインターフェース１０６は、ネットワーク１２２に接続してそのインターフェースとなるように構成されたハードウェア、ソフトウェア、またはハードウェア及びソフトウェアの組み合わせである。
【００２５】
クラウドシステム１６０は、コンピューティングシステムまたはデバイス（たとえば、データベースサーバまたは他のサーバ）であって、個別化されたオーディオパラメータ１６４をそこに記憶及び処理してもよく、またオーディオパラメータベースライン１６２をそこから分配してもよいコンピューティングシステムまたはデバイスであってもよい。クラウドシステム１６０は、ネットワーク１２２を介してコンピューティングデバイス１０２からアクセス可能である。オーディオパラメータベースライン１６２には、分配可能で更新可能なバージョンのオーディオパラメータベースライン１５２が記憶されている。オーディオパラメータベースライン１６２を任意の数のコンピューティングデバイス１０２に分配して、記憶装置１１４に記憶されたオーディオパラメータベースライン１５２を更新してもよい。種々の実施形態では、クラウドシステム１６０は、（たとえば、コンピューティングデバイス１０２から得られる個別化されたオーディオパラメータデータ１５４を用いて、実証的研究から収集されたデータに基づいて）オーディオパラメータベースライン１６２を更新してもよい。オーディオパラメータベースライン１６２を、技術的に可能な任意の技術を用いて（たとえば、機械学習ベースの技術を用いて、手動で）更新してもよい。個別化されたオーディオパラメータ１６４には、複数のユーザの個別化されたオーディオパラメータ１５４が記憶されている。個別化されたオーディオパラメータ１６４には、これらの個別化されたオーディオパラメータと、対応するユーザプロファイルとの対応付けが含まれる。コンピューティングデバイス１０２は、コンピューティングデバイス１０２のユーザに対応付けられる個別化されたオーディオパラメータ１６４を取得して、個別化されたオーディオパラメータ１５４として記憶装置１１４に記憶してもよい。
【００２６】
前述したように、オーディオデバイス（たとえば、オーディオ出力デバイス１３６）の場合、１つ以上のオーディオパラメータを調整して、オーディオデバイスによるオーディオコンテンツの出力に影響を与えてもよい。オーディオパラメータを調整して、オーディオデバイスによるオーディオ出力の特性を個別化してもよい。調整してもよいオーディオパラメータには、たとえば、低音域及び高音域が含まれる。オーディオパラメータを調整するための従来のアプローチでは、デバイス及び／またはアプリケーションに、１つ以上のオーディオパラメータを調整するための手動制御装置が含まれ得る。しかし、これらの従来のアプローチでは、極めて多い量の調整選択があり、効果的な調整を行うためには専門家レベルの知識が必要である。両方ともユーザを圧倒して混乱させる可能性がある。
【００２７】
これらの問題点に対処するために、種々の実施形態では、オーディオデバイス設定アプリケーション１５０によって、ガイドされた方法で１つ以上のオーディオパラメータを設定するためのプロセスフローを実施する。オーディオデバイス設定アプリケーション１５０は、付随するユーザインターフェースを介してプロセスフローを実施する。付随するユーザインターフェースでは、オーディオパラメータに対する変化または変化なしを表す多くのオプションが示される。選択に基づいて、オーディオデバイス設定アプリケーション１５０は、オーディオパラメータに対するさらなる変化または変化なしを表すさらなるオプションを示す。したがって、オーディオデバイス設定アプリケーション１５０は、繰り返す判定フローを介してオプションを示してもよい。いくつかの実施形態では、オーディオデバイス設定アプリケーション１５０は、第１のオーディオパラメータを設定するための第１のプロセスフローを示し、次に第２のオーディオパラメータとして設定するための第２のプロセスフローを示す等を行ってもよい。いくつかの他の実施形態では、オーディオデバイス設定アプリケーション１５０は、２つ以上のパラメータを設定するためのプロセスフローを示してもよい（たとえば、第１及び第２のオーディオパラメータに対するプロセスフローを組み合わせて１つにする）。
【００２８】
図２に例示するのは、種々の実施形態の１つ以上の態様により、１つ以上のオーディオパラメータを設定するためのプロセスフローにおける選択オプションの判定フロー２００である。いくつかの実施形態では、オーディオパラメータを設定するためのプロセスフローには、所定の繰り返し数を含む１つのラウンドが含まれる。所定の回数は２以上である。各繰り返しにおいて、３つの選択オプションが示される。１つの繰り返しにおいて示されるオプションには、変化なしに対応する第１のオプション、＋Ｘの変化に対応する第２のオプション（Ｘは所定の量）、及び−Ｘの変化に対応する第３のオプションが含まれる。Ｘの量はある繰り返しから次の繰り返しへと減少する（たとえば、徐々に、所定の量だけ、所定の機能だけ）。繰り返した後、初期値から累積する変化量を反映する繰り返しを通した選択に基づいて、オーディオパラメータをセッティングしてもよい。これらの特徴を判定フロー２００に示す。判定フロー２００では、繰り返しごとに３つのオプションがあるプロセスフローの例を例示する。
【００２９】
判定フロー２００は開始２０１から始まる。開始２０１ではオーディオパラメータを初期値にセッティングする。いくつかの実施形態では、開始２０１において、オーディオパラメータを、オーディオパラメータベースライン１５２に基づいてベースラインにセッティングする。オーディオパラメータベースライン１５２に基づいてオーディオパラメータをセッティングすることには、ユーザからユーザ情報（たとえば、ユーザ人口統計情報）を取得することと、ユーザ情報にモデルを適用して初期値を取得することと、が含まれていてもよい。代替的に、オーディオパラメータベースライン１５２に基づいてオーディオパラメータをセッティングすることには、オーディオパラメータベースライン１５２から所定のデフォルト値を取得することと、そのデフォルト値を初期値としてセッティングすることと、が含まれていてもよい。
【００３０】
パラメータを初期値にセッティングしてラウンドを開始した後、オーディオデバイス設定アプリケーション１５０によってオプションの第１の繰り返しが示される。第１の繰り返しには、オプション２０２−Ａ、２０２−Ｂ、及び２０２−Ｃが含まれる。図２に示すように、オプション２０２−Ａは、オーディオパラメータの現在値（この時点で初期値である）からの−４の変化に対応し、オプション２０２−Ｂは、現在値からの＋／−０（すなわち、変化なし）の変化に対応し、オプション２０２−Ｃは、現在値からの＋４の変化に対応する。またオーディオデバイス設定アプリケーション１５０は、現在値に従ってデモンストレーションオーディオコンテンツ１５６を再生してもよい。第１の繰り返しにおいて、ユーザはオプション２０２のうちのいずれかを選択してもよい。それに応じて、オーディオデバイス設定アプリケーション１５０は、以前の（もしあれば）繰り返しで選択した選択オプション及びオプション（複数可）に基づくオーディオパラメータの値を用いて、デモンストレーションオーディオコンテンツ１５６を再生してもよい。たとえば、判定フロー２００においてオプション２０２−Ａを選択する。これをオプション２０２−Ａに対する太字輪郭のブロックで示す。オプション２０２−Ａの選択に応じて、オーディオデバイス設定アプリケーション１５０は、初期値から−４であるオーディオパラメータの値を用いて、デモンストレーションオーディオコンテンツ１５６を再生してもよい。オプション２０２を選択した後に、ユーザは次の繰り返しに進んでもよい（たとえば、「次へ」ボタンまたはオプションを選択すること等によって）。
【００３１】
また判定フロー２００では、第１の繰り返しで選択したオプションに基づいて、第２の繰り返しで示してもよいオプションを示す。第２の繰り返しにおいて、オプションが対応する変化には−３、＋／−０、及び＋３が含まれる。第２の繰り返しにおける変化（または変化が無いこと）は、第１の繰り返しでユーザが選択したどんな変化（または変化が無いこと）も伴って、初期値に対して累積される。たとえば、ユーザが第１の繰り返しでオプション２０２−Ａを選択して第２の繰り返しに進んだ場合、第２の繰り返しで示されるオプションにはオプション２０４−Ａ（−３）、２０４−Ｂ（＋／−０）、及び２０４−Ｃ（＋３）が含まれ、これらのオプションにおける変化または変化が無いことは、オプション２０２−Ａから得られる−４の変化とともに、初期値に対して累積される。ユーザが第１の繰り返しでオプション２０２−Ｂを選択して第２の繰り返しに進んだ場合、第２の繰り返しで示されるオプションにはオプション２０６−Ａ（−３）、２０６−Ｂ（＋／−０）、及び２０６−Ｃ（＋３）が含まれ、これらのオプションにおける変化または変化が無いことは、オプション２０２−Ｂから得られる＋／−０の変化とともに、初期値に対して累積される。ユーザが第１の繰り返しでオプション２０２−Ｃを選択して第２の繰り返しに進んだ場合、第２の繰り返しで示されるオプションには、オプション２０８−Ａ（−３）、２０８−Ｂ（＋／−０）、及び２０８−Ｃ（＋３）が含まれ、これらのオプションにおける変化または変化が無いことは、オプション２０２−Ｃから得られる＋４の変化とともに、初期値に対して累積される。この場合もやはり、第２の繰り返しにおけるオプションの選択に応じて、オーディオデバイス設定アプリケーション１５０は、以前の繰り返しで選択した選択オプション及びオプション（複数可）に基づくオーディオパラメータの値を用いて、デモンストレーションオーディオコンテンツ１５６を再生してもよい。図２に示すように、判定フロー２００は、オプション２０４−Ｃを選択して第３の繰り返しに進む。
【００３２】
第３の繰り返しにおいて、オプションが対応する変化には−２、＋／−０、及び＋２が含まれる。第３の繰り返しにおける変化（または変化が無いこと）は、第１及び第２の繰り返しでユーザが選択したどんな変化（または変化が無いこと）も伴って、初期値に対して累積する。したがって、第２の繰り返しでオプション２０４−Ｃを選択した場合、第３の繰り返しで示されるオプションには、オプション２１０−Ａ（−２）、２１０−Ｂ（＋／−０）、及び２１０−Ｃ（＋２）が含まれ、これらのオプションにおける変化または変化が無いことは、オプション２０２−Ａから得られる−４の変化とオプション２０４−Ｃから得られる＋３の変化とともに、初期値に対して累積される。第２の繰り返しにおけるオプションの選択に応じて、オーディオデバイス設定アプリケーション１５０は、以前の繰り返しで選択した選択オプション及びオプション（複数可）に基づくオーディオパラメータの値を用いて、デモンストレーションオーディオコンテンツ１５６を再生してもよい。図２に示すように、判定フロー２００は、オプション２１０−Ｂを選択して第４の繰り返しに進む。
【００３３】
第４の繰り返しにおいて、オプションが対応する変化には−１、＋／−０、及び＋１が含まれる。第３の繰り返しにおける変化（または変化が無いこと）は、第１、第２、及び第３の繰り返しでユーザが選択したどんな変化（または変化が無いこと）も伴って、初期値に対して累積される。したがって、第３の繰り返しでオプション２１０−Ｂを選択した場合、第４の繰り返しで示されるオプションには、オプション２１２−Ａ（−１）、２１２−Ｂ（＋／−０）、及び２１２−Ｃ（＋２）が含まれ、これらのオプションにおける変化または変化が無いことは、オプション２０２−Ａから得られる−４の変化、オプション２０４−Ｃから得られる＋３の変化、及びオプション２１０−Ｂから得られる＋／−０の変化とともに、初期値に対して累積される。第３の繰り返しにおけるオプションの選択に応じて、オーディオデバイス設定アプリケーション１５０は、以前の繰り返しで選択した選択オプション及びオプション（複数可）に基づくオーディオパラメータの値を用いて、デモンストレーションオーディオコンテンツ１５６を再生してもよい。図２に示すように、判定フロー２００は、オプション２１２−Ａを選択して終了２１４に進む。判定フロー２００の終了２１４において、判定フロー２００を通して選択したオプションの蓄積（すなわち、オプション２０２−Ａ、２０４−Ｃ、２１０−Ｂ、及び２１２−Ａ）に基づいて、オーディオパラメータをセッティングする。これらの選択したオプションの蓄積に基づく初期値からの変化は、−４、＋３、＋／−０、及び−１の合計であり、初期値から−２に等しい。合計は、ユーザの好みが判定フロー２００を通して所望の変化量に絞り込まれたことを反映している。したがって、終了２１４において、オーディオパラメータを初期値から−２にセッティングしてもよい。オーディオデバイス設定アプリケーション１５０は、このセット値におけるオーディオパラメータのデモンストレーションとして、このセット値を用いてデモンストレーションオーディオコンテンツ１５６を再生してもよい。この時点で、ユーザはセッティングを確認して、セット値を個別化されたオーディオパラメータ１５４に保存してもよい。またユーザは、オーディオ出力デバイス１３６にセット値を適用してもよいし、まだしなくてもよい。さらに、ユーザはセット値を廃棄してプロセスフローを最初からやり直してもよい。この場合、判定フロー２００を再び経てもよい。
【００３４】
図示した判定フロー２００では、簡潔にするために判定フローの一部の分岐を省略しているが、これらの省略した分岐は、図示した分岐と同様のパターンに従うことを理解されたい。さらに、繰り返し数及び異なる繰り返しにおける変化量は例であり、異なる繰り返し数及び異なる変化量が可能であることを理解されたい。さらに、各繰り返しでのＸの量は以前の繰り返しから１だけ減少しているが（たとえば、第１の繰り返しでは＋／−４、第２の繰り返しでは＋／−３など）、以前の繰り返しからＸが減少する量は異なっていてもよい（たとえば、繰り返しごとに１．５だけ減少する、繰り返しごとに２で割る）ことを理解されたい。
【００３５】
さらに、判定フロー２００は、１つのオーディオパラメータの設定を例示していることを理解されたい。たとえば、オーディオデバイス設定アプリケーション１５０は最初に、低音域を設定するためのプロセスフロー（判定フロー２００に従う）を示す。低音域を設定したら、オーディオデバイス設定アプリケーション１５０は次に、高音域を設定するための同様のプロセスフローを示す。いくつかの実施形態では、オーディオデバイス設定アプリケーション１５０は、両方のプロセスフローを同時に示してもよく、その結果、２つのオーディオパラメータ（たとえば、低音域及び高音域）を同時に設定して、各繰り返しにおいて低音域に対する３つのオプションと高音域に対する３つのオプションとを示してもよい。
【００３６】
いくつかの実施形態では、判定フロー２００における繰り返しの１つ以上には、繰り返しにおいて示してもよい３つのオプションとともに第４のオプションが含まれる。第４のオプションは「違いが分からない」応答に対応する。これは、ユーザが、繰り返しにおいて他の３つのオプションに起因する違いが認識できないということである。第４のオプションをデフォルトの変化量に対応付けてもよい（たとえば、変化なし、現在の繰り返しにおける同じ量のＸだけ初期値の方に変化する）。
【００３７】
図２に例示する判定フロー２００は、１つのラウンドにおけるオーディオパラメータをセッティングしていてもよい。図３Ａ〜３Ｂに、オーディオパラメータを設定するためのプロセスフローの複数のラウンドに対する判定フローを例示する。図３Ａ〜３Ｂでは、各繰り返しにおいて、２つのオプションが示されている。１つの繰り返しにおいて示されるオプションには、変化なしに対応する第１のオプションと、＋Ｘまたは−Ｘいずれかの変化に対応する第２のオプション（Ｘは所定の量）とが含まれる。Ｘの量はある繰り返しから次の繰り返しへと減少する（たとえば、徐々に、所定の量だけ、所定の機能だけ）。１つのラウンドを繰り返した後、ラウンドの開始における値から累積する変化量を反映する繰り返しを通した選択に基づいて、オーディオパラメータをセッティングしてもよい。
【００３８】
図３Ａ〜３Ｂには、種々の実施形態の１つ以上の態様により、１つ以上のオーディオパラメータを設定するための別のプロセスにおける選択オプションの判定フローを例示する。図３Ａに例示するのは、オーディオパラメータを設定するためのプロセスフローにおける複数のラウンドのうちの第１のラウンドの判定フロー３００である。判定フロー３００はラウンド開始３０１から始まる。ラウンド開始３０１ではオーディオパラメータを初期値にセッティングする。いくつかの実施形態では、ラウンド開始３０１において、オーディオパラメータを、オーディオパラメータベースライン１５２に基づいてベースラインにセッティングする。オーディオパラメータベースライン１５２に基づいてオーディオパラメータをセッティングすることには、ユーザからユーザ情報（たとえば、ユーザ人口統計情報）を取得することと、オーディオパラメータベースライン１５２に含まれるモデルをユーザ情報に適用して初期値を取得することと、が含まれていてもよい。代替的に、オーディオパラメータベースライン１５２に基づいてオーディオパラメータをセッティングすることには、オーディオパラメータベースライン１５２から所定のデフォルト値を取得することと、そのデフォルト値を初期値としてセッティングすることと、が含まれていてもよい。
【００３９】
パラメータを初期値にセッティングしてラウンドを開始した後、オーディオデバイス設定アプリケーション１５０はオプションの第１の繰り返しを示す。第１の繰り返しにはオプション３０２−Ａ及び３０２−Ｂが含まれる。図３Ａに示すように、オプション３０２−Ａは、オーディオパラメータの現在値（この時点では初期値）からの＋／−０の変化（すなわち、変化なし）に対応し、オプション３０２−Ｂは＋６の変化に対応する。またオーディオデバイス設定アプリケーション１５０は、現在値に従ってデモンストレーションオーディオコンテンツ１５６を再生してもよい。第１の繰り返しにおいて、ユーザはオプション３０２のうちのいずれかを選択してもよい。それに応じて、オーディオデバイス設定アプリケーション１５０は、以前の（もしあれば）繰り返しで選択した選択オプション及びオプション（複数可）に基づくオーディオパラメータの値を用いて、デモンストレーションオーディオコンテンツ１５６を再生してもよい。たとえば、判定フロー３００においてオプション３０２−Ａを選択する。これをオプション３０２−Ａに対するブロックの輪郭を太字にして示す。オプション３０２−Ａの選択に応じて、オーディオデバイス設定アプリケーション１５０は、初期値から＋／−０であるオーディオパラメータの値を用いて、デモンストレーションオーディオコンテンツ１５６を再生してもよい。オプション３０２を選択した後、ユーザはラウンドにおける次の繰り返しに進んでもよい（たとえば、「次へ」ボタンまたはオプションを選択すること等によって）。
【００４０】
また判定フロー３００では、第１のラウンドの第１の繰り返しで選択したオプションに基づいて、第１のラウンドの第２の繰り返しで示してもよいオプションを示す。第１のラウンドの第２の繰り返しにおいて、オプションが対応する変化には、＋／−０、及び＋３または−３のいずれかが含まれる。第２の繰り返しにおける変化（または変化が無いこと）は、第１の繰り返しでユーザが選択したどんな変化（または変化が無いこと）も伴って、ラウンドの開始３０１でセッティングした値に対して累積する。たとえば、ユーザが第１の繰り返しでオプション３０２−Ａを選択して第２の繰り返しに進んだ場合、第２の繰り返しで示されるオプションにはオプション３０４−Ａ（＋／−０）及び３０４−Ｂ（−６）が含まれ、これらのオプションにおける変化または変化が無いことは、オプション３０２−Ａから得られる＋／−０の変化とともに、初期値に対して累積される。ユーザが第１の繰り返しでオプション３０２−Ｂを選択して第２の繰り返しに進んだ場合、第２の繰り返しで示されるオプションにはオプション３０６−Ａ（＋／−０）及び３０６−Ｂ（＋６）が含まれ、これらのオプションにおける変化または変化が無いことは、オプション３０２−Ｂから得られる＋６の変化とともに、初期値に対して累積される。この場合もやはり、第２の繰り返しにおけるオプションの選択に応じて、オーディオデバイス設定アプリケーション１５０は、以前の（もしあれば）繰り返しで選択した選択オプション及びオプション（複数可）に基づくオーディオパラメータの値を用いて、デモンストレーションオーディオコンテンツ１５６を再生してもよい。図３Ａに示すように、判定フロー３００は、オプション３０４−Ｂを選択して第３の繰り返しに進む。
【００４１】
第３の繰り返しにおいて、オプションが対応する変化には、＋／−０、及び＋６または−６のいずれかが含まれる。第３の繰り返しにおける変化（または変化が無いこと）は、第１及び第２の繰り返しでユーザが選択したどんな変化（または変化が無いこと）も伴って、初期値に対して累積される。したがって、第２の繰り返しでオプション３０４−Ｂを選択した場合、第３の繰り返しで示されるオプションにはオプション３０８−Ａ（＋／−０）及び３０８−Ｂ（−６）が含まれ、これらのオプションにおける変化または変化が無いことは、オプション３０２−Ａから得られる＋／−０の変化とオプション３０４−Ｂから得られる−６の変化とともに、初期値に対して累積される。第２の繰り返しにおけるオプションの選択に応じて、オーディオデバイス設定アプリケーション１５０は、以前の繰り返しで選択した選択オプション及びオプション（複数可）に基づくオーディオパラメータの値を用いて、デモンストレーションオーディオコンテンツ１５６を再生してもよい。図３Ａに示すように、判定フロー３００は、オプション３０８−Ｂを選択して第１のラウンドの終了３１０に進む。
【００４２】
判定フロー３００の終了３１０において、判定フロー３００を通して選択したオプションの蓄積（すなわち、オプション３０２−Ａ、３０４−Ｂ、及び３０８−Ｂ）に基づいて、オーディオパラメータをセッティングする。これらの選択したオプションの蓄積に基づく初期値からの変化は、＋／−０、−６、及び−６の合計であり、初期値から−１２に等しい。合計は、ユーザの好みが判定フロー３００を通して所望の変化量に絞り込まれたことを反映している。したがって、第１のラウンドの終了３１０において、オーディオパラメータを初期値から−１２にセッティングしてもよい。オーディオデバイス設定アプリケーション１５０は、このセット値におけるオーディオパラメータのデモンストレーションとして、このセット値を用いてデモンストレーションオーディオコンテンツ１５６を再生してもよい。この時点で、ユーザはプロセスフローにおける第２のラウンドに進んでもよい。判定フロー３２０（図３Ｂ）に第２のラウンドの判定フローを例示する。
【００４３】
図３Ｂに例示するのは、オーディオパラメータを設定するためのプロセスフローにおける複数のラウンドのうちの第２のラウンドの判定フロー３２０である。判定フロー３２０は、第１のラウンドの判定フロー３００の終了３１０から続く。第２のラウンドの判定フロー３２０の開始３２２において、オーディオパラメータをラウンドの初期値にセッティングする。第２のラウンドの初期値を、第１のラウンドの終了３１０でセッティングした値としてセッティングする。判定フロー３２０は判定３００と同様にフローし、違いは、判定フロー３２０におけるオプションが、変化なし及び第１のラウンドにおける変化よりも小さい量だけ変化することに対応することである。したがって、判定フロー３００では、変化に対応するオプションは＋６または−６のいずれかに対応するが、判定フロー３２０では、変化に対応するオプションは＋３または−３のいずれかに対応する。したがって、判定フロー３２０の第１の繰り返しでは、示されたオプションにはオプション３２２−Ａ（＋／−０）及びオプション３２２−Ｂ（＋３）が含まれる。第１のラウンドから第２のラウンドへの変化量の減少を予め決めてもよい（たとえば、予め決めた量だけ減少する、予め決めた量で割る）。
【００４４】
変化量（＋／−３対＋／−６）以外では、判定フロー３２０は判定フロー３００と同様である。たとえば、第２の繰り返しにおいて、オプション３２４−Ａ（＋／−０）及び３２４−Ｂ（−３）は第１の繰り返しで行ったオプション３２２−Ａの選択から続き、オプション３２６−Ａ（＋／−０）及び３２６−Ｂ（＋３）は第１の繰り返しで行ったオプション３２２−Ｂの選択に続く。第３の繰り返しにおいて、オプション３２８−Ａ（＋／−０）及び３２８−Ｂ（−３）は第２の繰り返しで行ったオプション３２６−Ａの選択に続く。各繰り返しにおいて、オーディオデバイス設定アプリケーション１５０は、現在の選択の蓄積に基づくオーディオパラメータ値を用いてデモンストレーションオーディオコンテンツ１５６を再生してもよい。第２のラウンドの終了３３０では、オプション３２８−Ａが選択されていて、判定フロー３２０を通して選択したオプションの蓄積（すなわち、オプション３２２−Ｂ、３２６−Ａ、及び３２８−Ａ）に基づいて、オーディオパラメータをセッティングする。これらの選択したオプションの蓄積に基づく第２のラウンドの初期値からの変化は、＋３、＋／−０、及び＋／−０の合計であり、第２のラウンドの初期値からの＋３に等しい。合計は、ユーザの好みが判定フロー３２０を通して所望の変化量に絞り込まれたことを反映している。したがって、第２のラウンドの終了３３０において、オーディオパラメータを第２のラウンドの開始３２２でセッティングした値から＋３にセッティングしてもよい。オーディオデバイス設定アプリケーション１５０は、このセット値におけるオーディオパラメータのデモンストレーションとして、このセット値を用いてデモンストレーションオーディオコンテンツ１５６を再生してもよい。この時点で、第２のラウンドがプロセスフローにおける最後のラウンドである場合には、ユーザはセッティングを確認して、セット値を個別化されたオーディオパラメータ１５４に保存してもよい。またユーザは、オーディオ出力デバイス１３６にセット値を適用してもよいし、まだしなくてもよい。さらに、ユーザはセット値を廃棄してプロセスフローを最初からやり直してもよい。この場合、判定フロー３００及び３２０を再び経てもよい。第２のラウンドが最後のラウンドでない場合には、第３のラウンドは、第２のラウンドの終了３３０でセッティングした値に第３のラウンドの初期値をセッティングして開始してもよい。第３のラウンドに対する判定フローは判定フロー３００及び３２０と同様であるが、変化量は第２のラウンドと比べて小さい（たとえば、＋／−１．５対＋／−３）。
【００４５】
結果的に、図３Ａ〜３Ｂには、オーディオパラメータを設定するために２値の検索プロセスを適用する判定フローを例示している。図示した判定フロー３００及び３２０では、簡潔にするために判定フローの一部の分岐を省略しているが、これらの省略した分岐は、図示した分岐と同様のパターンに従うことを理解されたい。さらに、ラウンドごとの繰り返し数、ラウンド数、及び異なるラウンドにおける変化量は例であり、異なる繰り返し数及び／またはラウンド、及び異なる変化量が可能であることを理解されたい。さらに、各ラウンドにおけるＸの量は、以前のラウンドにおけるＸを２で割ることによって得られるが（たとえば、第１のラウンドにおいて、＋／−６、第２のラウンドにおいて＋／−３など）、以前のラウンドからＸが減少する量は異なっていてもよい（たとえば、ラウンドごとに１だけ減少する、ラウンドごとに１．５で割る）ことを理解されたい。
【００４６】
さらに、判定フロー３００及び３２０では、１つのオーディオパラメータの設定を例示していることを理解されたい。たとえば、オーディオデバイス設定アプリケーション１５０では最初に、低音域を設定するためのプロセスフロー（判定フロー３００及び３２０に従う）を示す。低音域を設定したら、オーディオデバイス設定アプリケーション１５０は次に、高音域を設定するための同様のプロセスフローを示す。いくつかの実施形態では、オーディオデバイス設定アプリケーション１５０は、両方のプロセスフローを同時に示してもよく、その結果、２つのオーディオパラメータ（たとえば、低音域及び高音域）を同時に設定して、各ラウンドの各繰り返しにおいて低音域に対する２つのオプションと高音域に対する２つのオプションとを示してもよい。
【００４７】
いくつかの実施形態では、判定フロー３００及び３２０における繰り返しの１つ以上には、繰り返しにおいて示してもよい２つのオプションとともに第３のオプションが含まれる。第４のオプションは「違いが分からない」応答に対応する。これは、ユーザが、繰り返しにおいて他の２つのオプションに起因する違いが認識できないということである。第３のオプションをデフォルトの変化量に対応付けてもよい（たとえば、変化なし、現在のラウンドにおける同じ量のＸだけ初期値に向かって変化する）。
【００４８】
図４Ａ〜４Ｄに、種々の実施形態の１つ以上の態様により、１つ以上のオーディオパラメータを設定するためのラウンドロビンベースのプロセスにおけるオプションの行列を例示する。図３Ａ〜３Ｂに例示しているのは、２値の検索プロセスを適用し、ユーザに２つのオプションが一度に示されるプロセスフロー例である。図４Ａ〜４Ｄに例示するのは、ユーザにやはり２つのオプションが１度に示されるマルチラウンドのラウンドロビンベースのプロセスフローを適用するプロセスフロー例である。さらに、図４Ａ〜４Ｄに例示するのは、２つのオーディオパラメータ（たとえば、低音域及び高音域）が同時に設定されるプロセスフローである。
【００４９】
図４Ａ〜４Ｄのプロセスフローは、オーディオデバイス設定アプリケーション１５０から始まり、２つのオーディオパラメータ（たとえば、低音域及び高音域）に対する可能な値の組が生成される。図４Ａ〜４Ｄに示す行列４００は、可能な値の組を例示している。行列４００において、各パラメータ範囲に対する可能な値は−６から＋６まで３の増分で変化し、全部で２５の値の組み合わせである。行列４００に示すこれらの値は例であり、値の範囲及び増分は他の実施態様では異なっていてもよいことを理解されたい。
【００５０】
プロセスフローにはラウンドロビンの複数のラウンドが含まれる。ラウンドロビンの第１のラウンドでは、オーディオパラメータベースライン１５２に基づいて、２つのオーディオパラメータを初期値にセッティングする。したがって、初期値をユーザ情報（オーディオパラメータベースライン１５２に含まれるモデルが適用される）またはオーディオパラメータベースライン１５２に含まれる所定の値から導き出してもよい。オーディオパラメータベースライン１５２に基づいてセッティングする初期値に最も近い行列４００内の値を、第１のラウンドに対する初期値としてセッティングする。行列４００−Ａ（図４Ａ）において、これらの初期値を低音域＋３及び高音域＋／−０の組み合わせとして示し、行列４００−Ａ内に太字で示す。
【００５１】
各ラウンドにおいて、ユーザにはオプションペアのラウンドロビンが示される。ラウンドにおけるペアに対する候補値組み合わせには、ラウンドに対する初期値組み合わせと行列４００内でその初期値組み合わせに（垂直方向に、水平方向に、及び対角線上で）隣接する値組み合わせとが含まれ、ラウンドロビンの以前のラウンドにおいて却下されたことがある（すなわち、ユーザに提供されたが、少なくとも一回は選択されていない）任意の値組み合わせを除外する。行列４００−Ａにおいて、候補値組み合わせ（すなわち、初期値組み合わせ及び隣接する値組み合わせ）を太字輪郭のセルで示す。第１のラウンドに対して９つの候補値組み合わせが存在する。したがって、第１のラウンドにおいて、ラウンドロビンには候補値組み合わせの３６ペア（９Ｃ２）の表示が含まれる。各候補値組み合わせは、他の各候補値組み合わせと１度競う。前述した判定フロー２００、３００、及び３２０と同様に、各ペアを用いて、オーディオデバイス設定アプリケーション１５０は、ユーザの選択に基づいてデモンストレーションオーディオコンテンツ１５６を再生してもよく、ユーザは「次へ」オプションなどを選択することによって次のペアに進む。オーディオデバイス設定アプリケーション１５０は、ラウンド内でどの候補値組み合わせが選択されたかのカウントを数える。
【００５２】
ラウンドが終了したら、ラウンド内で最も頻繁に選択された値組み合わせがラウンドの勝者であり、この値組み合わせを次のラウンドに対する初期値組み合わせとしてセッティングする。たとえば、図４Ｂでは、行列４００−Ｂにおいて低音域＋６及び高音域＋３の値組み合わせが第１のラウンドの勝者であり、第２のラウンドの初期値としてセッティングする。さらに、第１のラウンドにおいて全く選択されなかった候補値組み合わせを却下する。これを行列４００−Ｂ内の線で消されたセルによって示す。非却下の候補値組み合わせに対する選択カウントを、第２のラウンドに対してリセットしてもよい。
【００５３】
第２のラウンドにおいて、候補値組み合わせは、第２のラウンドに対する全部で６つの候補値組み合わせに対して、ラウンドに対する初期値組み合わせ（低音域＋６及び高音域＋３）及び初期値組み合わせに隣接する行列４００−Ｂ内の任意の非却下値組み合わせである。第２のラウンドにおいて、ラウンドロビンには、候補値組み合わせの１５ペア（６Ｃ２）の表示が含まれる。各候補値組み合わせは、他の各候補値組み合わせと１度競う。各ペアを用いて、オーディオデバイス設定アプリケーション１５０は、ユーザの選択に基づいてデモンストレーションオーディオコンテンツ１５６を再生してもよく、ユーザは「次へ」オプションなどを選択することによって次のペアに進む。オーディオデバイス設定アプリケーション１５０は、ラウンド内でどの候補値組み合わせが選択されたかのカウントを数える。（低音域＋３及び高音域＋６）の組み合わせが第２のラウンドの勝者であり、第３のラウンドの初期値としてセッティングする。これを行列４００−Ｃ（図４Ｃ）内に示す。さらなる組み合わせは第２のラウンドにおいて却下され、行列４００−Ｃ内の線で消されたセルとして示す。
【００５４】
第３のラウンドにおいて、候補値組み合わせは、第３のラウンドに対する全部で４つの候補値組み合わせに対して、ラウンドに対する初期値組み合わせ（低音域＋３及び高音域＋６）及び初期値組み合わせに隣接する行列４００−Ｃ内の任意の非却下値組み合わせである。第３のラウンドにおいて、ラウンドロビンには候補値組み合わせの６ペア（４Ｃ２）の表示が含まれる。各候補値組み合わせは、他の各候補値組み合わせと１度競う。各ペアを用いて、オーディオデバイス設定アプリケーション１５０は、ユーザの選択に基づいてデモンストレーションオーディオコンテンツ１５６を再生してもよく、ユーザは「次へ」オプションなどを選択することによって次のペアに進む。オーディオデバイス設定アプリケーション１５０は、ラウンド内でどの候補値組み合わせが選択されたかのカウントを数える。（低音域＋３及び高音域＋６）の組み合わせが第３のラウンドの勝者であり、第４のラウンドの初期値組み合わせとしてセッティングする。これを行列４００−Ｄ（図４Ｄ）内に示す。行列４００−Ｄにおいて、以前のラウンドで却下された候補値組み合わせをすべて線で消してあり、ラウンドに対する初期値組み合わせに隣接する値組み合わせは行列４００内にはもはやない。その結果、オーディオデバイス設定アプリケーション１５０はラウンドロビンのラウンドを停止して、第４のラウンドになったであろうこの初期値組み合わせ（低音域＋３及び高音域＋６）をユーザの好みとしてセッティングする。前述した他の例と同様に、この時点で、ユーザはセッティングを確認して、セット値組み合わせを個別化されたオーディオパラメータ１５４に保存してもよい。またユーザは、オーディオ出力デバイス１３６にセット値組み合わせを適用してもよいし、まだしなくてもよい。さらに、ユーザはセット値組み合わせを廃棄してプロセスフローを最初からやり直してもよい。この場合、ラウンドロビンの複数のラウンドを再び経てもよい。
【００５５】
前述した図２〜４Ｄに示すように、異なるプロセスフローを実施して、１つ以上のオーディオパラメータを設定するためのオプションを示してもよい。一度に２つまたは３つのオプションをユーザに示してもよく、いくつかの実施形態では、ユーザが違いを認識できないことを示すさらなるオプションも含まれている。プロセスフローには１つ以上のラウンドが含まれていてもよく、２値もしくは３値の判定フローであってもよいし、ラウンドロビンベースのプロセスであってもよい。これらのプロセスフローを実施することによって、オーディオデバイス設定アプリケーション１５０はオーディオパラメータをより効率的に設定する場合がある。
【００５６】
図５に、種々の実施形態の１つ以上の態様により、１つ以上のオーディオパラメータを設定するためのオプションを示すためのユーザインターフェース例を例示する。ユーザインターフェース５００を、ディスプレイ１３２を介してオーディオデバイス設定アプリケーション１５０によって表示してもよい。ユーザが入力デバイス１３４を介してユーザインターフェース５００と相互に作用してもよい。
【００５７】
ユーザインターフェース５００は、変化または変化なしに対応する３つのオプション（たとえば、判定フロー２００の１つの繰り返しにおいて示されるオプション）の表示を、第４のオプションとともに例示する。ユーザインターフェース５００には、オプションＡ５０２、オプションＢ５０４、及びオプションＣ５０６が含まれる。これらのオプションは、判定フロー２００の繰り返しにおける３つのオプションに対応する。たとえば、オプションＡ５０２はオプション２０２−Ａに対応してもよいし、オプションＢ５０４はオプション２０２−Ｂに対応してもよいし、オプションＣ５０６はオプション２０２−Ｃに対応してもよい。さらに、ユーザインターフェース５００には第４のオプション５０８が含まれる。ここでは、ユーザが、オプション５０２、５０４、及び５０６に対応する値の違いが分からないことを示す。ユーザがオプション５０２、５０４、５０６、及び５０８のうちの１つを選択した後で、ユーザは「次へ」５１０を選択して次の繰り返しに進んでもよい。また、ユーザインターフェース５００には、プロセスフローにおいてユーザがどのくらい進んでいるかを示す進捗インジケータ５１２（たとえば、進捗バー）が含まれる。「次へ」５１０を選択する前に、オーディオデバイス設定アプリケーション１５０は、オプション５０２、５０４、５０６、及び５０８の中で選択したオプションに基づいて、または選択がないことに基づいて（たとえば、ユーザが選択を行う前）、デモンストレーションオーディオコンテンツ１５６を再生してもよい。さらに、いくつかの実施形態では、ユーザがオプション５０２、５０４、５０６、及び５０８のうちの１つを選択するまで、「次へ」５１０を無効にしてもよい。
【００５８】
ユーザインターフェース５００は、３つのオプションと違いを認識できないことを示すための第４のオプションとを示しているが、同様のユーザインターフェースが、２つのオプションＡ及びＢ（たとえば、判定フロー３００、３２０に対するユーザインターフェース、または行列４００内に値組み合わせペアを示すためのユーザインターフェース）と、任意的に違いを認識できないことを示すための第３のオプションとを示してもよいことを理解されたい。
【００５９】
図６に、種々の実施形態の１つ以上の態様により、１つ以上のオーディオパラメータを設定するためのオプションを示すためのユーザインターフェースのさらなる例を例示する。図６に例示するのは、ユーザが１つ以上のオーディオパラメータを３回（毎回、デモンストレーションオーディオコンテンツ１５６に含まれる異なるコンテンツ項目に基づいて）設定するプロセスフローにおける１つのラウンドでの一連のユーザインターフェース６０２、６０４、及び６０６である。
【００６０】
ユーザインターフェース６０２は、第１のユーザインターフェースを、デモンストレーションオーディオコンテンツ１５６に含まれる第１のコンテンツ項目に基づいて２つのオーディオパラメータを設定するためのプロセスフローの第１の繰り返しに対応する順番で例示する。トラックインジケータ６０８は、オーディオパラメータ（複数可）を設定するために、デモンストレーションオーディオコンテンツ１５６に含まれるどのコンテンツ項目が使用されているか（及び再生されているか）を示す。ユーザインターフェース６０２、６０４、及び６０６に図示するように、第１のデモンストレーションオーディオコンテンツが使用されており、これをトラックインジケータ６０８で示す。ユーザインターフェース６０２には２つのオブジェクト６１２及び６１４が含まれる。オブジェクト６１２は第１のオーディオパラメータに対応し、半円弧に沿ってオプションＡ、Ｂ、及びＣが含まれる。３つのオプションの中で１つのオプションが変化なしに対応する。他の２つのオプションは、繰り返しに対して所定の大きさ（絶対値）Ｍだけプラス変化（増加）することに、及び所定の大きさＭだけマイナス変化（減少）することに、それぞれ対応してもよい。半円弧はオーディオパラメータに対する可能な変化の範囲を表す。半円弧の中心（オプションＢがオブジェクト６１２−Ａ内に配置されている）は、プロセスフローに対するオーディオパラメータの初期値から変化なしを表す。半円弧の左端及び右端（オプションＡ及びＣがオブジェクト６１２−Ａ内に配置されている）はそれぞれ、プロセスフローに対するオーディオパラメータの初期値からのそれぞれマイナス及びプラス方向における最大可能な変化を表す。したがって、オブジェクト６１２−Ａでは、オプションＢは初期値から変化なしに対応し、オプションＡは初期値から最大の大きさだけ減少することに対応し、オプションＣは初期値から最大の大きさだけ増加することに対応する。すなわち、オブジェクト６１２−Ａに対する所定の大きさＭは、一方向における最大可能な変化である。同様に、オブジェクト６１４は第２のオーディオパラメータに対応し、また半円弧上にそれ自体のオプションＡ、Ｂ、Ｃを含む。オブジェクト６１４−Ａに対するＭも、一方向における最大可能な変化である。繰り返しインジケータ６２０は、現在のユーザインターフェースが対応付けられる繰り返しを示す。
【００６１】
ユーザは、オブジェクト６１２−Ａ及び６１４−Ａの一方または両方において選択を行ってもよい（たとえば、入力デバイス１３４を介して所望のオプションをタップまたはクリックすることによって）。図６に示すように、ユーザインターフェース６０２では、オブジェクト６１２−ＡにおけるオプションＢが選択されている。これを、オブジェクト６１２−ＡにおいてオプションＡ及びＣと比べてより濃い色の影で示す。いくつかの実施形態では、現時点で操作されていないオーディオパラメータに対応するオブジェクトは次第に消えてもよいし、グレー表示されてもよい。たとえば、ユーザインターフェース６０２では、オブジェクト６１４−Ａは次第に消える。ユーザは、次のようにオブジェクト６１４−Ａを操作して第２のオーディオパラメータを設定してもよい。最初にオブジェクト６１４−Ａを選択して（たとえば、入力デバイス１３４を介してオブジェクト６１４−Ａをタップまたはクリックして）、オブジェクト６１４−Ａを起動する（そして、そのプロセスのオブジェクト６１２−Ａを作動停止させると同時に、オブジェクト６１２−Ａですでに行われた任意の選択を保持する）、次にオブジェクト６１４−ＡにおけるオプションＡ、Ｂ、またはＣのうちの１つを選択する。図示するように、オブジェクト６１４−ＡにおけるオプションＣが選択されている。ユーザがオブジェクト６１２−Ａまたは６１４−Ａにおいて少なくとも１つの選択を行った後に、ユーザは「次のセクション」６１６を選択して第２の繰り返しに進んでもよい。
【００６２】
プロセスフローの第２の繰り返しでは、ユーザインターフェース６０４にはオブジェクト６１２−Ｂ及び６１４−Ｂが含まれている。オブジェクト６１２−Ｂでは、オプションＢ（この場合も半円弧の中心にある）は、プロセスフローに対する初期値から変化なしに対応する。オプションＡ及びＣ（オブジェクト６１２−Ａと比べて半円弧の中心により近い位置に配置されている）は、−Ｎ及び＋Ｎにそれぞれ対応する。Ｎは第２の繰り返しに対する変化の所定の大きさ（絶対値）であり、Ｎは前述したオブジェクト６１２−Ａ及び６１４−Ａに対するＭよりも小さい。オブジェクト６１４−Ｂでは、オプションＣは第１の繰り返しにおける選択（初期値からの最大のプラス変化である）から変化なしに対応する。オプションＡ及びＢは、第１の繰り返しにおける選択からの−２Ｎ及び−Ｎにそれぞれ対応する。いくつかの実施形態では、ある繰り返しで選択したオプションがパラメータの最大の大きさの変化に対応する場合（前述したオブジェクト６１４−ＡにおけるオプションＣのように）、次の繰り返しでは、オプションの中心には、前回の繰り返しで選択したオプションが来ずに、前回の選択オプションから所定の大きさ及び所定の大きさの２倍の増加または減少がそれぞれ来る（オブジェクト６１４−ＢにおけるオプションＡ及びＢのように）。図示するように、ユーザインターフェース６０４は、オブジェクト６１４−ＢにおけるオプションＢの選択を、オブジェクト６１２−Ｂにおける選択なしを示す。いくつかの実施形態では、選択がない場合は（たとえば、オブジェクト６１２−Ｂのように）、オーディオデバイス設定アプリケーション１５０によって、前述したオプション５０８と同様にユーザが違いを認識できなかったことを示すオプションの選択と同等に扱われる。
【００６３】
第３の繰り返しでは、ユーザインターフェース６０６にはオブジェクト６１２−Ｃ及び６１４−Ｃが含まれている。オブジェクト６１２−Ｃでは、オブジェクト６１２−Ｂで選択がなかったことに応じてオプションが所定の位置に残っている。オブジェクト６１２−Ｂで選択がなかったことは、オブジェクト６１２−ＢにおけるオプションＡ、Ｂ、及びＣの違いをユーザが認識できなかったことを示していた。オブジェクト６１４−Ｃでは、オプションＢは第２の繰り返しで行った選択から変化なしに対応し、オプションＡ及びＣは−Ｐ及び＋Ｐにそれぞれ対応する。Ｐは第３の繰り返しに対する変化の所定の大きさ（絶対値）であり、ＰはＮよりも小さい。図示するように、ユーザインターフェース６０６は、オブジェクト６１４−ＣにおけるオプションＢの選択を、オブジェクト６１２−Ｃにおける選択なしを示す。ユーザは次に、第１のデモンストレーションオーディオコンテンツに基づいた設定を終了してもよく、「次のトラック」６１８を選択することによって、第２のデモンストレーションオーディオコンテンツに基づいた設定に進んでもよい。「次のトラック」６１８の選択に応じて、オーディオデバイス設定アプリケーション１５０は、第１のデモンストレーションオーディオコンテンツに基づいたプロセスフローの結果（たとえば、ユーザインターフェース６０６に示すように、オブジェクト６１２及び６１４に対する選択の累積結果）を保存して、第２のデモンストレーションオーディオコンテンツに基づいたプロセスフローの実行に進む。その代わりに、ユーザは、第２のデモンストレーションオーディオコンテンツに基づいた設定をやめて、「ここで終了」６２２を選択することによって、その時点までの選択に基づいてオーディオパラメータ（複数可）をセッティングしてもよい。
【００６４】
したがって、ユーザインターフェース６０２、６０４、及び６０６には、２つのオーディオパラメータを同時に設定してもよいプロセスフローに対するユーザインターフェース例が例示されている。いくつかの実施形態では、ユーザインターフェース６０２、６０４、及び６０６において、ユーザは各繰り返しにおいて一方または両方のオーディオパラメータに対するオプションを選択してもよい。ユーザは、各繰り返しにおいて両方のオーディオパラメータに対するオプションを選択することは要求されていない。さらに、いくつかの実施形態では、前述したように、同じオーディオパラメータ（複数可）を複数回設定してもよい（たとえば、ユーザはプロセスフローを複数回経る）。プロセスフローをそれぞれ実行するときに、デモンストレーションオーディオコンテンツ１５６に含まれる同じかまたは異なるコンテンツ項目を用いる。プロセスフローの複数の実行の終わりに、プロセスフローの複数の実行から得られたオーディオパラメータに対する結果を全体で平均してもよく、平均値を、個別化されたオーディオパラメータ１５４を記憶するためのオーディオパラメータに対する値としてセッティングする。
【００６５】
いくつかの実施形態では、プロセスフローの終わりに次のようなユーザインターフェースをユーザに示してもよい。このユーザインターフェースでは、ユーザは、プロセスフローの結果として設定されたオーディオパラメータを用いてデモンストレーションオーディオコンテンツ１５６を再生して、個別化されたオーディオパラメータ１５４にオーディオパラメータ設定結果を保存するか、オーディオ出力デバイス１３６にオーディオパラメータ設定結果を適用するか、オーディオパラメータ設定結果を廃棄して最初からやり直すか、または高度なオプションにアクセスしてもよい。高度なオプションには、オーディオパラメータを手動で設定（たとえば、微調整設定）するための手動制御装置（たとえば、スライダー）が含まれていてもよい。
【００６６】
図７に、種々の実施形態の１つ以上の態様により、１つ以上のオーディオパラメータを設定するための方法ステップのフローチャートを例示する。本方法ステップを図１〜６のシステムと関連して説明するが、当業者であれば分かるように、本方法ステップを任意の順番で実行するように構成された任意のシステムが種々の実施形態の範囲に入る。
【００６７】
図７に示すように、方法７００はステップ７０２から始まる。ステップ７０２では、オーディオデバイス設定アプリケーション１５０がユーザ情報を取得する。オーディオデバイス設定アプリケーション１５０は、ディスプレイ１３２を介して１つ以上のユーザインターフェースを示してもよい。ここではユーザに人口統計情報（たとえば、年齢、性別など）の提供が要求される。ユーザは情報を提供してもよいし、情報の提供を断ってもよい。
【００６８】
ステップ７０４において、オーディオデバイス設定アプリケーション１５０は、ユーザ情報に基づいてオーディオパラメータをセッティングする。たとえば、オーディオデバイス設定アプリケーション１５０は、オーディオパラメータベースライン１５２に含まれるモデルをユーザ情報に適用して、オーディオパラメータに対する初期値をセッティングしてもよい。ユーザがユーザ情報の提供を断ったかまたはユーザ情報が不完全である場合には、オーディオデバイス設定アプリケーション１５０は、オーディオパラメータベースライン１５２に含まれるデフォルト値に基づいて、オーディオパラメータに対する初期値をセッティングしてもよい。
【００６９】
ステップ７０６において、オーディオデバイス設定アプリケーション１５０は、オーディオパラメータの現在値から変化なしに対応する第１のオプション、第１の所定の量だけ変化することに対応する第２のオプション、及び第２の所定の量だけ変化することに対応する第３のオプションを示す。たとえば、オーディオデバイス設定アプリケーション１５０は、オプションＡ、Ｂ、及びＣ（たとえば、オプション２０２−Ａ、２０２−Ｂ、及び２０２−Ｃ）を示してもよい。Ａは現在値からの＋Ｘに対応し、Ｂは＋／−０に対応し、及びＣは現在値からの−Ｘに対応する。
【００７０】
ステップ７０８において、オーディオデバイス設定アプリケーション１５０は、第１、第２、及び第３のオプションのうちの１つの選択を受け取る。第１のオプションの選択を受け取った場合には、ステップ７１０において、オーディオデバイス設定アプリケーション１５０は第１のオプションに基づいてオーディオパラメータをセッティングする。第２のオプションの選択を受け取った場合には、ステップ７１２において、オーディオデバイス設定アプリケーション１５０は第２のオプションに基づいてオーディオパラメータをセッティングする。第３のオプションの選択を受け取った場合には、ステップ７１４において、オーディオデバイス設定アプリケーション１５０は第３のオプションに基づいてオーディオパラメータをセッティングする。たとえば、オプション２０２−Ａ（図２）が選択された場合には、オーディオデバイス設定アプリケーション１５０はオーディオパラメータを現在値から−４にセッティングしてもよい。いくつかの実施形態では、オーディオパラメータをすぐにセッティングする代わりに、オーディオデバイス設定アプリケーション１５０は、オーディオパラメータをセッティングする前に、ラウンドが終了するまで選択を蓄積してもよい。
【００７１】
ステップ７１６において、現在のラウンドが終了していなかった場合（現在のラウンドに選択繰り返しがさらにまだ存在する場合）には、方法７００はステップ７０６に戻って、別の繰り返しで３つのオプションを示す。これら３つのオプションは、以前の繰り返しにおけるオプションと変化量だけ異なっていてもよい。たとえば、オプション２０４には＋／−３の変化が含まれ、これに対してオプション２０２には＋／−４の変化が含まれている。現在のラウンドが終了した場合（現在のラウンドには選択繰り返しがもう存在しない場合）には、方法７００はステップ７１８に進み、オーディオデバイス設定アプリケーション１５０は、現在のパラメータ値に基づいてオーディオ出力デバイス１３６を介して、オーディオコンテンツ（たとえば、デモンストレーションオーディオコンテンツ１５６）を示す（たとえば、再生する）。オーディオデバイス設定アプリケーション１５０は、複数の繰り返しにおいてステップ７０８で受け取った選択に基づいてオーディオパラメータの値をセッティングし、そのセッティングしたオーディオパラメータ値に基づいてデモンストレーションオーディオコンテンツ１５６を再生してもよい。
【００７２】
図８に、種々の実施形態の１つ以上の態様により、１つ以上のオーディオパラメータを設定するための方法ステップの別のフローチャートを例示する。本方法ステップを図１〜６のシステムと関連して説明するが、当業者であれば分かるように、本方法ステップを任意の順番で実行するように構成された任意のシステムが種々の実施形態の範囲に入る。
【００７３】
図８に示すように、方法８００はステップ８０２から始まる。ステップ８０２では、オーディオデバイス設定アプリケーション１５０がユーザ情報を取得する。ステップ８０４において、オーディオデバイス設定アプリケーション１５０が、ユーザ情報に基づいてオーディオパラメータをセッティングする。ステップ８０２及び８０４は、方法７００と関連して前述したステップ７０２及び７０４と、それぞれ同様である。
【００７４】
ステップ８０６において、オーディオデバイス設定アプリケーション１５０は、オーディオパラメータの現在値から変化なしに対応する第１のオプションと、第１の所定の量だけ変化することに対応する第２のオプションとを示す。たとえば、オーディオデバイス設定アプリケーション１５０は、オプションＡ及びＢ（たとえば、オプション３０２−Ａ、３０２−Ｂ）を示してもよい。Ａは現在値から＋Ｘまたは−Ｘの一方に対応し、Ｂは＋／−０に対応する。
【００７５】
ステップ８０８において、オーディオデバイス設定アプリケーション１５０は、第１及び第２のオプションのうちの一方の選択を受け取る。第１のオプションの選択を受け取った場合には、ステップ８１０において、オーディオデバイス設定アプリケーション１５０は第１のオプションに基づいてオーディオパラメータをセッティングする。第２のオプションの選択を受け取った場合には、ステップ８１２において、オーディオデバイス設定アプリケーション１５０は第２のオプションに基づいてオーディオパラメータをセッティングする。たとえば、オプション３０２−Ａ（図３Ａ）が選択された場合には、オーディオデバイス設定アプリケーション１５０は、オーディオパラメータを現在値から＋／−０にセッティングしてもよい。いくつかの実施形態では、オーディオパラメータをすぐにセッティングする代わりに、オーディオデバイス設定アプリケーション１５０は、オーディオパラメータをセッティングする前に、ラウンドが終了するまで選択を蓄積してもよい。
【００７６】
ステップ８１４において、現在のラウンドが終了していなかった場合（現在のラウンドに選択繰り返しがさらにまだ存在する場合）には、方法８００はステップ８０６に戻って、別の繰り返しで２つのオプションを示す。これら２つのオプションは、以前の繰り返しにおけるオプションと変化量だけ異なっていてもよい。たとえば、オプション３０４には−６及び０が含まれ、これに対してオプション３０２には＋６及び０が含まれる。現在のラウンドが終了した場合（現在のラウンドには選択繰り返しがもう存在しない場合）には、方法７００はステップ８１６に進む。
【００７７】
ステップ８１６において、選択のさらなるラウンドが残っている場合には、方法８００はステップ８１８に進み、オーディオデバイス設定アプリケーション１５０は、完了したラウンドの結果としてのオーディオパラメータ組の現在値に基づいて新しいラウンドを開始する。たとえば、判定フロー３２０が開始３２２から開始する。開始３２２では、オーディオパラメータを判定フロー３００の終了３１０でセッティングした値にセッティングする。選択のラウンドがもう残っていない場合には、方法８００はステップ８２０に進み、オーディオデバイス設定アプリケーション１５０は、現在のパラメータ値に基づいてオーディオ出力デバイス１３６を介して、オーディオコンテンツ（たとえば、デモンストレーションオーディオコンテンツ１５６に含まれるコンテンツ項目）を示す（たとえば、再生する）。オーディオデバイス設定アプリケーション１５０は、選択の完了したラウンドの複数の繰り返しにおいてステップ８０８で受け取った選択に基づいて、オーディオパラメータの値をセッティングし、そのセッティングしたオーディオパラメータ値に基づいてデモンストレーションオーディオコンテンツ１５６を再生してもよい。
【００７８】
図９に、種々の実施形態の１つ以上の態様により、１つ以上のオーディオパラメータを設定するための方法ステップのさらなるフローチャートを例示する。本方法ステップを図１〜６のシステムと関連して説明するが、当業者であれば分かるように、本方法ステップを任意の順番で実行するように構成された任意のシステムが種々の実施形態の範囲に入る。
【００７９】
図９に示すように、方法９００はステップ９０２から始まる。ステップ９０２では、オーディオデバイス設定アプリケーション１５０がユーザ情報を取得する。ステップ９０４において、オーディオデバイス設定アプリケーション１５０は、ユーザ情報に基づいて２つ以上のオーディオパラメータに対する初期値をセッティングする。ステップ９０２及び９０４は、方法７００と関連して前述したステップ７０２及び７０４と、それぞれ同様である。
【００８０】
ステップ９０６において、オーディオデバイス設定アプリケーション１５０はオプションの組を決定する。オーディオデバイス設定アプリケーション１５０は、設定すべきオーディオパラメータに対する値組み合わせの組を決定してもよい。値組み合わせの組には、オーディオパラメータに対する可能な値の範囲にわたる値の組み合わせが、所定の増分で含まれる。値組み合わせの組を、値組み合わせの行列（たとえば、行列４００）として表してもよい。
【００８１】
ステップ９０８において、オーディオデバイス設定アプリケーション１５０は、オプションの組からオプションのラウンドロビンペアを決定する。オーディオデバイス設定アプリケーション１５０は、ラウンドロビン選択の現在のラウンドで示されるオプションの組からオプションのペアを決定する。たとえば、ラウンドロビンペア内に示してもよい候補値組み合わせには、ステップ９０４でセッティングした初期値に最も近いオプションの組における値組み合わせ（たとえば、行列４００で表すように）、及び初期値に最も近い値組み合わせに隣接する行列４００内の値組み合わせが含まれる。ラウンドロビンペアは候補値組み合わせの組から決定される。各候補ペアは他の各候補と１度競って、ラウンドロビンペアを形成する。
【００８２】
ステップ９１０において、オーディオデバイス設定アプリケーション１５０はオプションのペアを示す。オーディオデバイス設定アプリケーション１５０は、ラウンドロビンペア内のペアをユーザに示す。ステップ９１２において、オーディオデバイス設定アプリケーション１５０はオプションのペアのうちの一方の選択を受け取る。ペア内の第１のオプションの選択を受け取った場合には、ステップ９１４において、オーディオデバイス設定アプリケーション１５０は第１のオプションに対するカウントを増加させる。ペア内の第２のオプションの選択を受け取った場合には、ステップ９１６において、オーディオデバイス設定アプリケーション１５０は第１のオプションに対するカウントを増加させる。ラウンドロビンラウンド内のオプションに対するカウントは、ラウンド内でオプションが選択された回数を追う。
【００８３】
ステップ９１８において、よりラウンドロビンラウンド内にオプションのペアがさらに存在する場合（すなわち、まだ示されていないペアがラウンドロビンペアの中に存在する場合）には、方法９００はステップ９１０に戻って、オーディオデバイス設定アプリケーション１５０はオプションの別のペアを示す。ラウンドロビンラウンド内にオプションのペアがもう存在しない場合には、方法９００はステップ９２０に進む。
【００８４】
ステップ９２０において、オーディオデバイス設定アプリケーション１５０は、最も高いカウントを伴う現在のラウンドロビンラウンド内のオプションを決定する。オーディオデバイス設定アプリケーション１５０は、候補の選択カウント（たとえば、ステップ９１４及び／または９１６で増加したとき）に基づいて候補値組み合わせの中のラウンドロビンラウンドの勝者を決定する。最も高い選択カウントを伴う候補がラウンドの勝者である。
【００８５】
ステップ９２２において、オーディオデバイス設定アプリケーション１５０は、ラウンドロビンの別のラウンドがあるか否かを判定する。オーディオデバイス設定アプリケーション１５０は、この判定を、ステップ９２０で決定した勝者に隣接する何らかの非却下の候補がオプションの行列（たとえば、行列４００）内に存在するか否かに基づいて行う。隣接する非却下の候補が存在する場合には、ラウンドロビンの別のラウンドが存在する。隣接する非却下の候補が存在しない場合には、ラウンドロビンのラウンドはもう存在しない。
【００８６】
ステップ９２２において、オーディオデバイス設定アプリケーション１５０が、ラウンドロビンの別のラウンドがあると判定した場合には、方法９００はステップ９２４に進み、オーディオデバイス設定アプリケーション１５０は、最も高いカウントのオプションに基づいてオーディオパラメータをセッティングする。オーディオデバイス設定アプリケーション１５０は、ラウンドロビンの次のラウンドを開始し、次のラウンドに対するオーディオパラメータの初期値は、ステップ９２０で決定した勝者に基づいてセッティングする。次に方法９００はステップ９０８に戻って、オーディオデバイス設定アプリケーション１５０は、オプションの組を表す行列において勝者（ステップ９２０で決定された）に隣接する非却下の候補に基づいて次のラウンドに対するオプションのラウンドロビンペアを決定する。
【００８７】
ステップ９２２において、オーディオデバイス設定アプリケーション１５０が、ラウンドロビンのラウンドはもう存在しないと判定した場合には、方法９００はステップ９２６に進み、オーディオデバイス設定アプリケーション１５０は、最も高いカウントオプション（すなわち、ステップ９２０で決定した勝者）に基づいて、オーディオ出力デバイス１３６を介してオーディオコンテンツ（たとえば、デモンストレーションオーディオコンテンツ１５６）を示す（たとえば、再生する）。オーディオデバイス設定アプリケーション１５０は、勝者に基づいてオーディオパラメータの値をセッティングしてもよく、これらのセッティングしたオーディオパラメータ値に基づいてデモンストレーションオーディオコンテンツ１５６を再生してもよい。
【００８８】
要約して言えば、開示した技術によって、オーディオデバイスの動作を制御するオーディオパラメータが効率的に個別化される。設定アプリケーションによって、ベースライン値が所与のオーディオパラメータに対する値としてセッティングされる。ベースライン値を、所定のモデルまたは所定の値に基づいて選択してもよい。次に設定アプリケーションは第１の組のオプションを示す。第１の組のオプションには、パラメータに対する現在値から変化なしに対応する第１のオプションと、少なくとも、現在値から第１の所定の量だけ変化することに対応する第２のオプションとが含まれる。第１のオプションまたは第２のオプションの選択に基づいて、設定アプリケーションは第２の組のオプションを示す。第２の組のオプションには、第１のオプションまたは第２のオプションの選択から導き出された値から変化なしに対応する第３のオプションと、第１のオプションまたは第２のオプションの選択から導き出された値から第２の所定の量だけ変化することに対応する第４のオプションとが含まれる。設定アプリケーションは、少なくとも第３のオプションまたは第４のオプションの選択に基づいてパラメータに対する値をセッティングする。
【００８９】
開示した技術の利点及び技術改良は、個別化されたオーディオパラメータを系統的かつ目標とする方法で導き出して設定し得ることである。オーディオパラメータは試行錯誤で導き出してはおらず、むしろ調整されて個別化された方法で導き出している。したがって、オーディオパラメータをより効率的で効果的な方法でセッティングし得る。開示した技術の別の利点及び技術改良は、オーディオパラメータに対するベースラインを、個別化されたオーディオパラメータに基づいて精緻なものにし得ることである。精緻にされたベースラインを、異なるユーザに対応付けられるオーディオデバイスに分配及び適用してもよい。
【００９０】
１．いくつかの実施形態では、コンピュータ実装の方法は、オーディオパラメータに対応付けられる第１の複数のセッティングオプションを示すことであって、前記第１の複数のセッティングオプションは、前記オーディオパラメータの第１のセッティングと同じ値を有する第１のオプションと、前記第１のセッティングとは異なる第１の値を有する第２のオプションとを含む、前記示すことと、前記第１のオプション及び前記第２のオプションの一方の選択を受け取ることと、前記選択に基づいて、前記オーディオパラメータに対応付けられる第２の複数のセッティングオプションを示すことであって、前記第２の複数のセッティングオプションは、前記オーディオパラメータの第２のセッティングと同じ値を有する第３のオプションと、前記第２のセッティングとは異なる第２の値を有する第４のオプションとを含む、前記示すことと、前記第２の複数のセッティングオプションのうちの少なくとも１つの選択に基づいて前記オーディオパラメータをセッティングすることと、を含む。
【００９１】
２．前記オーディオパラメータに基づいてオーディオコンテンツ項目を再生することをさらに含む条項１に記載の方法。
【００９２】
３．前記第１の複数のセッティングオプションはさらに、前記第１のセッティングとは異なる第３の値を有する第５のオプションを含み、前記選択を受け取ることは、前記第１のオプション、前記第２のオプション、及び前記第５のオプションのうちの１つの選択を受け取ることを含む条項１または２に記載の方法。
【００９３】
４．前記第２の複数のセッティングオプションはさらに、前記第２のセッティングとは異なる第４の値を有する第６のオプションを含む条項１〜３のいずれか１項に記載の方法。
【００９４】
５．前記第１の値は前記第１のセッティングから第１の大きさだけ変化することに対応し、前記第２の値は前記第２のセッティングから第２の大きさだけ変化することに対応する条項１〜４のいずれか１項に記載の方法。
【００９５】
６．前記第２の大きさは前記第１の大きさよりも小さい条項１〜５のいずれか１項に記載の方法。
【００９６】
７．前記第２の大きさは前記第１の大きさと同じである条項１〜６のいずれか１項に記載の方法。
【００９７】
８．前記第１の値は前記第１の大きさだけ加算することに対応し、前記第２の値は前記第２の大きさだけ減算することに対応する条項１〜７のいずれか１項に記載の方法。
【００９８】
９．前記第１の値は前記第１の大きさだけ加算することに対応し、前記第２の値は前記第２の大きさだけ加算することに対応する条項１〜８のいずれか１項に記載の方法。
【００９９】
１０．前記第１の値は前記第１の大きさだけ減算することに対応し、前記第２の値は前記第２の大きさだけ減算することに対応する条項１〜９のいずれか１項に記載の方法。
【０１００】
１１．いくつかの実施形態では、１つ以上の非一時的なコンピュータ可読媒体は命令を記憶し、前記命令は、１つ以上のプロセッサによって実行されると、前記１つ以上のプロセッサに、オーディオパラメータに対応付けられる第１の複数のセッティングオプションを示すステップであって、前記第１の複数のセッティングオプションは、前記オーディオパラメータの第１のセッティングに対応付けられる第１のオプションと、前記オーディオパラメータの第２のセッティングに対応付けられる第２のオプションとを含む、前記ステップと、前記第１のオプション及び前記第２のオプションの一方の選択を受け取るステップと、前記選択に基づいて、前記オーディオパラメータに対応付けられる第２の複数のセッティングオプションを示すステップであって、前記第２の複数のセッティングオプションは、前記オーディオパラメータの第３のセッティングに対応付けられる第３のオプションと、前記オーディオパラメータの第４のセッティングに対応付けられる第４のオプションとを含む、前記ステップと、前記第２の複数のセッティングオプションのうちの少なくとも１つの選択に基づいて前記オーディオパラメータをセッティングするステップと、を実行させる。
【０１０１】
１２．前記第１の複数のセッティングオプションはさらに、前記オーディオパラメータの第５のセッティングに対応付けられる第５のオプションを含み、前記選択を受け取ることは、前記第１のオプション、前記第２のオプション、及び前記第５のオプションのうちの１つの選択を受け取ることを含む条項１１に記載の１つ以上のコンピュータ可読媒体。
【０１０２】
１３．前記第２の複数のセッティングオプションはさらに、前記オーディオパラメータの第６のセッティングに対応付けられる第６のオプションを含む条項１１または１２に記載の１つ以上のコンピュータ可読媒体。
【０１０３】
１４．前記第１のセッティングは第１の値を含み、前記第２のセッティングは第２の値を含み、前記第２の値は前記第１の値からある大きさだけ変化することに対応する条項１１〜１３のいずれか１項に記載の１つ以上のコンピュータ可読媒体。
【０１０４】
１５．前記第２の値は前記第１の値から前記大きさだけ減少することに対応する条項１１〜１４のいずれか１項に記載の１つ以上のコンピュータ可読媒体。
【０１０５】
１６．前記第２の値は前記第１の値から前記大きさだけ増加することに対応する条項１１〜１５のいずれか１項に記載の１つ以上のコンピュータ可読媒体。
【０１０６】
１７．いくつかの実施形態では、システムは、命令を記憶するメモリと、前記メモリに結合されたプロセッサと、を含み、前記プロセッサは、前記命令が実行されると、オーディオパラメータに対応付けられる第１の複数のセッティングオプションを示すことであって、前記第１の複数のセッティングオプションは、前記オーディオパラメータの第１のセッティングと同じ値を有する第１のオプションと、前記第１のセッティングとは異なる第１の値を有する第２のオプションとを含む、前記示すことと、前記第１のオプション及び前記第２のオプションの一方の選択を受け取ることと、前記選択に基づいて、前記オーディオパラメータに対応付けられる第２の複数のセッティングオプションを示すことであって、前記第２の複数のセッティングオプションは、前記オーディオパラメータの第２のセッティングと同じ値を有する第３のオプションと、前記第２のセッティングとは異なる第２の値を有する第４のオプションとを含む、前記示すことと、前記第２の複数のセッティングオプションのうちの少なくとも１つの選択に基づいて前記オーディオパラメータをセッティングすることと、を行うように構成されている。
【０１０７】
１８．前記第１の値は前記第１のセッティングから第１の大きさだけ変化することに対応し、前記第２の値は前記第２のセッティングから第２の大きさだけ変化することに対応する条項１７に記載のシステム。
【０１０８】
１９．前記第２の大きさは前記第１の大きさよりも小さい条項１７または１８に記載のシステム。
【０１０９】
２０．前記第２の大きさは前記第１の大きさと同じである条項１７〜１９のいずれか１項に記載のシステム。
【０１１０】
請求項のいずれかに記載された請求項要素のいずれか及び／または本出願に記載されたいずれかの要素のすべての組み合わせは、任意の方法で、本保護の考えられる範囲に入る。
【０１１１】
種々の実施形態の記載を説明のために示してきたが、網羅的であることも開示した実施形態に限定されることも意図していない。多くの変更及び変形が、説明した実施形態の範囲及び趣旨から逸脱することなく当業者には明らかである。
【０１１２】
本実施形態の態様をシステム、方法、またはコンピュータプログラム製品として具体化してもよい。したがって、本開示の態様は、完全なハードウェア実施形態、完全なソフトウェア実施形態（ファームウェア、常駐ソフトウェア、マイクロコードなどを含む）、または本明細書ではすべて全般的に「モジュール」、「システム」、または「コンピュータ」という場合があるソフトウェア及びハードウェア態様を組み合わせた実施形態という形を取ってもよい。加えて、本開示で記載した任意のハードウェア及び／またはソフトウェア技術、プロセス、機能、コンポーネント、エンジン、モジュール、またはシステムを、回路または回路の組として実施してもよい。さらに、本開示の態様は、コンピュータ可読プログラムコードが組み入れられた１つ以上のコンピュータ可読媒体（複数可）に組み入れられたコンピュータプログラム製品という形を取ってもよい。
【０１１３】
１つ以上のコンピュータ可読媒体（複数可）の任意の組み合わせを用いてもよい。コンピュータ可読媒体はコンピュータ可読信号媒体またはコンピュータ可読記憶媒体であってもよい。コンピュータ可読記憶媒体は、たとえば、限定することなく、電子、磁気、光学、電磁気、赤外線、または半導体システム、装置、またはデバイス、または前述したものの任意の好適な組み合わせであってもよい。コンピュータ可読記憶媒体のより具体的な例（非網羅的なリスト）には以下が含まれる。１つ以上のワイヤを有する電気接続部、ポータブルコンピュータディスケット、ハードディスク、ランダムアクセスメモリ（ＲＡＭ）、読み出し専用メモリ（ＲＯＭ）、消去可能プログラマブル読み出し専用メモリ（ＥＰＲＯＭまたはフラッシュメモリ）、光ファイバ、携帯型コンパクトディスク読み出し専用メモリ（ＣＤ−ＲＯＭ）、光学記憶装置、磁気記憶装置、または前述したものの任意の好適な組み合わせである。この文献の文脈において、コンピュータ可読記憶媒体とは、命令実行システム、装置、またはデバイスが用いるかまたはこれらと共に用いるプログラムを含むかまたは記憶することができる任意の有形的表現媒体であってもよい。
【０１１４】
本開示の態様を、本開示の実施形態による方法、装置（システム）、及びコンピュータプログラム製品のフローチャート図及び／またはブロック図を参照して前述した。当然のことながら、フローチャート図及び／またはブロック図の各ブロック、ならびにフローチャート図及び／またはブロック図におけるブロックの組み合わせを、コンピュータプログラム命令によって実施することができる。これらのコンピュータプログラム命令を、汎用コンピュータ、専用コンピュータ、または他のプログラマブルデータ処理装置のプロセッサに与えて、マシンを生成してもよい。命令は、コンピュータまたは他のプログラマブルデータ処理装置のプロセッサによって実行されると、フローチャート及び／またはブロック図のブロックまたはブロック（複数）に明記された機能／作用の実施態様を可能にする。このようなプロセッサは、限定することなく、汎用プロセッサ、専用プロセッサ、特定用途向けプロセッサ、またはフィールドプログラマブルゲートアレイであってもよい。
【０１１５】
図におけるフローチャート及びブロック図は、本開示の種々の実施形態によるシステム、方法、及びコンピュータプログラム製品の可能な実施態様のアーキテクチャ、機能、及び動作を例示している。これに関連して、フローチャートまたはブロック図の各ブロックは、明記された論理機能（複数可）を実施するための１つ以上の実行可能命令を含むモジュール、セグメント、またはコードの一部を表してもよい。また、いくつかの代替的な実施態様では、ブロックに示した機能は図に示した順序から外れて実行されることがあることにも注意されたい。たとえば、含まれる機能に応じて、連続して示した２つのブロックは実際には実質的に同時に実行されることがあるか、またはブロックはしばしば逆の順序で実行されることがある。ブロック図及び／またはフローチャート図の各ブロック、ならびにブロック図及び／またはフローチャート図におけるブロックの組み合わせを、明記された機能または作用を実行する専用のハードウェアベースのシステムによって、または専用のハードウェア及びコンピュータ命令の組み合わせによって実施できることにも注意されたい。
【０１１６】
前述したことは本開示の実施形態を対象としているが、本開示の他の実施形態及びさらなる実施形態が、本開示の基本的な範囲から逸脱することなく考案され得る。本開示の範囲は以下の請求項によって決定される。
【図１】
2020109669.tif 000003
【図２】
2020109669.tif 000004
【図３Ａ】
2020109669.tif 000005
【図３Ｂ】
2020109669.tif 000006
【図４】
2020109669.tif 000007
【図５】
2020109669.tif 000008
【図６】
2020109669.tif 000009
【図７】
2020109669.tif 000010
【図８】
2020109669.tif 000011
【図９】
2020109669.tif 000012